(57)【要約】【課題】光放出性宝飾品を提供する。【解決手段】光放出性宝飾品は、宝石、ヘッド部分および取付部分を含む。ヘッド部分は、宝石を取付部分と相互に接続するように構成される。取付部分は、光放出性宝飾品を人または個人的装身具に固定するように配置される。【選択図】図１
2017144243.tif 000002
【特許請求の範囲】
【請求項１】
光放出性宝飾品であって、
クラウン、ガードル、パビリオン、およびキュレットを含む宝石であって、前記ガードルを前記クラウンと前記パビリオンとの間に位置付けるように前記クラウンが前記パビリオンの上に離間された関係で位置付けられ、前記パビリオンが前記ガードルと前記キュレットとの間に位置付けられている、宝石と、
少なくとも前記ガードルを含む前記宝石の外側表面に結合された光放出シェルであって、可視光が前記宝石を通して放出されかつ前記光放出性宝飾品が暗い環境内にあるときに人の裸眼によって見られるように、光の受取りおよび蓄積に応答して経時的に光を放出するように構成された光放出シェルを含む光放出システムと、を含み、
前記光放出シェルが、前記ガードルの周囲に半径方向に延びるように配置されたショルダ部分支持体と、キュレットカバーと前記ショルダ部分支持体との間に前記キュレットを位置付けるために前記ショルダ部分支持体に対して離間された関係で位置付けられたキュレットカバーとを含み、および前記キュレットカバーが、ヘッド部分と係合するように構成される、光放出性宝飾品。
【請求項２】
前記ショルダ部分支持体が、少なくとも前記ガードルに結合されかつそれから離れるように外方へ延びる上側部分と、少なくとも前記パビリオンに結合されかつそれから離れるように外方へ延びる下側部分とを有するバンドを含む、請求項１に記載の光放出性宝飾品。
【請求項３】
前記上側部分が、前記パビリオンから遠い側の上方に面するように配置された上側表面と、前記光放出バンドの前記下側部分の側へ下方に面するように配置された下側表面とを有し、および前記下側部分が、前記上側部分の前記下側表面に結合された上側表面と、前記キュレットカバーの側へ下方に面するように配置された下側表面とを有する、請求項２に記載の光放出性宝飾品。
【請求項４】
前記下側部分が前記上側部分から前記キュレットカバーの方へ延び、かつ前記パビリオン上のある地点で終端し、それにより、前記光放出バンドが前記キュレットから離間されて、光が前記パビリオンを通して前記宝石に進入することを許容する、請求項３に記載の光放出性宝飾品。
【請求項５】
前記キュレットカバーが、前記キュレットから離れる方へ下方に延びるように配置された光放出ディスクを含み、かつ前記キュレットの外側表面と結合された上面を含む、請求項４に記載の光放出性宝飾品。
【請求項６】
前記下側部分がバンド角度で前記上側部分から離れる方に延び、および前記バンド角度が約４０度〜約５０度の範囲内である、請求項２に記載の光放出性宝飾品。
【請求項７】
前記バンド角度が約４１．５度である、請求項６に記載の光放出性宝飾品。
【請求項８】
前記キュレットカバーが、前記キュレットから離れる方に下方へ延びるように配置された光放出ディスクを含む、請求項２に記載の光放出性宝飾品。
【請求項９】
前記光放出ディスクが、前記キュレットの外側表面と結合された上面を含む、請求項８に記載の光放出性宝飾品。
【請求項１０】
前記光放出バンドおよび前記光放出ディスクがプラスチック材料およびリンを含む材料の混合物から作製される、請求項９に記載の光放出性宝飾品。
【請求項１１】
前記光放出バンドおよび前記光放出ディスクがフォトルミネッセント材料から作製される、請求項９に記載の光放出性宝飾品。
【請求項１２】
前記光放出バンドが約０．５ミリメートルの厚さを有する、請求項２に記載の光放出性宝飾品。
【請求項１３】
クラウン角度が前記クラウンの外側表面と前記ガードルの上縁部との間に画定され、および前記クラウン角度が約４０度〜約４５度の範囲内である、請求項１に記載の光放出性宝飾品。
【請求項１４】
前記クラウン角度が約４５度である、請求項２に記載の光放出性宝飾品。
【請求項１５】
パビリオン角度が前記パビリオンの外側表面と前記ガードルの下縁部との間に画定され、および前記パビリオン角度が約４０度〜約５０度の範囲内である、請求項１に記載の光放出性宝飾品。
【請求項１６】
前記パビリオン角度が約３８度〜約４２度の範囲内である、請求項１５に記載の光放出性宝飾品。
【請求項１７】
前記パビリオン角度が約３９度〜約４１度の範囲内である、請求項１５に記載の光放出性宝飾品。
【請求項１８】
前記宝石を取付部分と相互に接続するように構成されたヘッド部分をさらに含み、前記ヘッド部分が宝石保持部分と、キュレット支持体と、前記宝石保持部分と前記キュレット支持体との間に延びてかつそれらを相互に接続する複数の爪体とを含み、および前記宝石保持部分が前記宝石と前記ヘッド部分との間で前記光放出システムの一部を保持する、請求項１に記載の光放出性宝飾品。
【請求項１９】
前記宝石保持部分が、前記クラウンに結合された上部イリュージョンプレートと、前記光放出バンドと結合された下部プレートとを含み、および前記上部イリュージョンプレートが、前記光放出バンドの上側部分を受け入れる雌型挿入スペースを形成するために前記下部プレートから離間される、請求項１８に記載の光放出性宝飾品。
【請求項２０】
ガードル厚さが、アメリカンスタンダードまたはトルコフスキーブリリアントアイデアルカットダイヤモンドのガードルよりも１０パーセント〜１５パーセント大きい、請求項１に記載の光放出性宝飾品。
【請求項２１】
前記キュレットが、アメリカンスタンダードまたはトルコフスキーブリリアントアイデアルカット宝石のキュレットよりも直径において約１３パーセント大きく、前記光放出システムから前記宝石への光透過率を増大する、請求項２０に記載の光放出性宝飾品。
【請求項２２】
前記宝石が、ラウンドカットされた宝石、クッションカットされた宝石、オーバルカットされた宝石、およびペアカットされた宝石のうちの１つである、請求項１に記載の光放出性宝飾品。
【請求項２３】
前記クラウン角度が約３８度〜約４２度である、請求項１に記載の光放出性宝飾品。
【請求項２４】
前記クラウン角度が約３９度〜約４１度である、請求項２３に記載の光放出性宝飾品。
【請求項２５】
前記クラウン角度が約４０度である、請求項２４に記載の光放出性宝飾品。
【請求項２６】
前記クラウン角度が約３９．５度である、請求項２４に記載の光放出性宝飾品。
【請求項２７】
前記クラウン角度が約４０．１度である、請求項２４に記載の光放出性宝飾品。
【請求項２８】
前記宝石がクッションカットされた宝石である、請求項１に記載の光放出性宝飾品。
【請求項２９】
前記宝石がオーバルカットされた宝石である、請求項１に記載の光放出性宝飾品。
【請求項３０】
前記宝石がペアカットされた宝石である、請求項１に記載の光放出性宝飾品。
【請求項３１】
前記パビリオン角度が約３８度〜約４２度の範囲内である、請求項１に記載の光放出性宝飾品。
【請求項３２】
前記パビリオン角度が約３９度〜約４１度である、請求項３１に記載の光放出性宝飾品。
【請求項３３】
前記パビリオン角度が約４０度である、請求項３２に記載の光放出性宝飾品。
【請求項３４】
前記パビリオン角度が約４０．４度である、請求項３３に記載の光放出性宝飾品。
【請求項３５】
前記光放出システムが、前記ガードルの外側表面に結合された光放出バンドと、前記キュレットの外側表面と結合された上面を有する光放出ディスクとを含む、請求項１に記載の光放出性宝飾品。
【請求項３６】
前記光放出バンドおよび前記光放出ディスクがフォトルミネッセント材料から作製される、請求項１に記載の光放出性宝飾品。
【請求項３７】
前記光放出バンドが約０．５ミリメートルの厚さを有する、請求項１に記載の光放出性宝飾品。
【請求項３８】
前記宝石が幅を有し、前記ガードルが前記ガードルの前記上縁部および前記下縁部によって画定されたガードル高さを有し、および前記ガードル高さが前記宝石の前記幅の約４パーセント〜約８パーセントである、請求項１に記載の光放出性宝飾品。
【請求項３９】
前記ガードル高さが前記宝石の前記幅の約６パーセントである、請求項３８に記載の光放出性宝飾品。
【請求項４０】
前記ガードル高さが前記宝石の前記幅の約７．２パーセントである、請求項３９に記載の光放出性宝飾品。
【請求項４１】
前記キュレットが、前記宝石の幅の約８パーセント〜約２３パーセントの範囲内であるキュレット幅を有する、請求項１に記載の光放出性宝飾品。
【請求項４２】
前記キュレット幅が前記宝石の前記幅の約９パーセント〜約１３パーセントである、請求項４１に記載の光放出性宝飾品。
【請求項４４】
前記キュレット幅が前記宝石の前記幅の約１０パーセント〜約１２パーセントである、請求項４２に記載の光放出性宝飾品。
【請求項４５】
前記キュレット幅が前記宝石の前記幅の約１１パーセントである、請求項４４に記載の光放出性宝飾品。
【請求項４６】
前記キュレット幅が前記宝石の前記幅の約１６パーセント〜約２３パーセントである、請求項４１に記載の光放出性宝飾品。
【請求項４７】
前記キュレット幅が前記宝石の前記幅の約１６パーセント〜約１８パーセントである、請求項４６に記載の光放出性宝飾品。
【請求項４８】
前記キュレット幅が前記宝石の前記幅の約１７パーセントである、請求項４７に記載の光放出性宝飾品。
【請求項４９】
前記キュレット幅が前記宝石の前記幅の約１７パーセント〜約２２パーセントである、請求項１に記載の光放出性宝飾品。
【請求項５０】
前記キュレット幅が前記宝石の前記幅の約１９パーセント〜約２１パーセントである、請求項４９に記載の光放出性宝飾品。
【請求項５１】
前記キュレット幅が前記宝石の前記幅の約２０パーセントである、請求項１に記載の光放出性宝飾品。
【請求項５２】
前記光放出シェルが、前記パビリオンの外側表面に結合された本体と、前記ガードルの周囲に円周方向に延びてかつ前記ガードルの外側表面に結合されたショルダ部分支持体と、前記キュレットの外側表面に結合されたキュレットカバーとを含む、請求項１に記載の光放出性宝飾品。
【請求項５３】
前記光放出システムが、前記ガードルの外側表面に結合された光放出バンドと、前記キュレットの外側表面と結合された上面を有する光放出ディスクとを含む、請求項５２に記載の光放出性宝飾品。
【請求項５４】
前記光放出バンドおよび前記光放出ディスクがプラスチック材料およびリンを含む材料の混合物から作製される、請求項３４に記載の光放出性宝飾品。
【発明の詳細な説明】
【技術分野】
【０００１】
本出願は、米国特許法第１１９条（ｅ）の下、２０１６年２月１７日に出願された米国仮特許出願第６２／２９６，１２０号明細書および２０１６年３月１８日に出願された米国仮特許出願第６２／３１０，２４１号明細書に対する優先権を主張し、これらの仮特許出願のそれぞれは、参照により本明細書に明示的に援用される。
【０００２】
本開示は宝飾品に関し、詳細には宝石を含む宝飾品に関する。より詳細には、本開示は、宝石を通して光を伝達するように構成された宝飾品に関する。
【先行技術文献】
【特許文献】
【０００３】
【特許文献１】米国特許出願第１４／４８７，９６９号明細書
【発明の概要】
【課題を解決するための手段】
【０００４】
本開示によれば、宝飾品は宝石を含む。宝石は、例えば、鉱物、結晶体、金属、石、プラスチック、ガラス、立方晶ジルコニア、有色宝石、貴重または非貴重にかかわらない天然ダイヤモンド、および模造ダイヤモンドなど、装身具を作製するために使用される材料片である。いくつかの実施形態において、宝飾品はヘッド部分をさらに含む。ヘッド部分は、宝飾品を人または個人的装身具に固定するために、宝石を取付部分に相互に接続する。
【０００５】
いくつかの実施形態において、宝飾品は、宝石と光放出システムとを含む光放出性宝飾品である。光放出システムは、可視光が宝石を通して放出されるように、光の受取りおよび蓄積に応答して経時的に光を放出するための手段を提供するように構成される。光放出性宝飾品が薄暗い乃至暗い環境にあるとき、人は、宝石を通して放出された光をより良く見ることができ得る。
【０００６】
いくつかの実施形態において、宝石は、クラウン、ガードル、パビリオン、およびキュレットを含む。いくつかの実施形態において、クラウン角度がクラウンの外側クラウン表面とガードルの上縁部との間に画定され、およびクラウン角度が約３６度〜約４５度までの範囲内である。いくつかの実施形態において、パビリオン角度がパビリオンの外側パビリオン表面とガードルの下縁部との間に画定され、およびパビリオン角度が約３６度〜約４５度までの範囲内である。
【０００７】
いくつかの実施形態において、宝石は幅を有し、およびガードルは、宝石の幅の約４パーセント〜約９パーセントまでの範囲内のガードル高さを有する。いくつかの実施形態において、キュレットは光放出システムの一部と結合される。いくつかの実施形態において、キュレットは、宝石の幅の約９パーセント〜約２２パーセントまでの範囲内のキュレット幅を含む。
【０００８】
本開示の追加的な特徴は、現在理解されている本開示を実行する最良の形態を例示する例示的実施形態を考慮すると当業者に明らかになる。
【０００９】
詳細な記載は、添付図面に特に言及する。
【図面の簡単な説明】
【００１０】
【図１】本開示による光放出性宝飾品の分解斜視図であり、光放出性宝飾品が、上から下へ、宝石と、宝石を受け入れるようにかつ宝石を通して光を放出するように配置された光放出システムと、宝石および光放出システムを支持するように配置されたヘッド部分と、光放出性宝飾品を人または個人的装身具に固定するように配置された取付部分とを含むことを示す。
【図２】光放出システムから離間された図１の宝石を示す立面図であり、宝石が、上から下へ、クラウンと、比較的厚い研磨されたガードルと、パビリオンと、比較的大きいキュレットとを含むことをさらに示し、および宝石の上に配置された光源（例えば日光または電気光）から放出されたＵＶ光または周囲光がどのようにクラウンを通して宝石に進入し、パビリオンを通して宝石から外へ、光が光放出システムによって捕捉されかつある期間にわたり宝石内に戻るように放出される場所へ方向付けられるかを示唆する。
【図３】図１の宝石の上面図であり、宝石はクッションカットされた宝石であり、クラウンを通して宝石に進入する光の第１の部分を、クラウンおよびテーブルを通して戻るように方向付けるようにカットされ、かつ宝石に進入する光の第２の部分を、宝石から外へ光放出システムの方へ方向付けるようにカットされ、光の第２の部分は光放出システムによって捕捉され、ある期間にわたり宝石内へ戻るようにかつ宝石を通して放出される。
【図４】図３のクッションカットされた宝石の底面図であり、宝石の比較的大きいキュレットと、パビリオンの複数のファセットとを示す。
【図５】図３のクッションカットされた宝石の立面図であり、クッションカットされた宝石が、上から下へ、外側クラウン表面とガードルの上縁部との間に画定されたクラウン角度を有する外側クラウン表面を含むクラウンと、上縁部および上縁部から離間された下縁部を有する比較的厚いガードルと、外側パビリオン表面とガードルの下縁部との間に画定されたパビリオン角度を有する外側パビリオン表面を含むパビリオンと、比較的大きいキュレットとを含むことを示す。
【図６】本開示による別の宝石の上面図であり、宝石はオーバルカットされた宝石であり、テーブルおよびクラウンを通して宝石に進入する光の第１の部分を、見る人に戻すように方向付けるようにカットされ、かつ宝石に進入する光の第２の部分を、宝石から外へ光放出システムの方へ方向付けるようにカットされ、光の第２の部分は光放出システムによって捕捉され、ある期間にわたり宝石内へ戻るようにかつ宝石を通して放出される。
【図７】図６のオーバルカットされた宝石の底面図であり、比較的大きい研磨されたキュレットと、パビリオンの複数のファセットとを示す。
【図８】図６のオーバルカットされた宝石の立面図であり、オーバルカットされた宝石が、上から下へ、外側クラウン表面とガードルの上縁部との間に画定されたクラウン角度を有する外側クラウン表面を含むクラウンと、上縁部および上縁部から離間された下縁部を有する比較的厚い研磨されたガードルと、外側パビリオン表面とガードルの下縁部との間に画定されたパビリオン角度を有する外側パビリオン表面を含むパビリオンと、比較的大きいキュレットとを含むことを示す。
【図９】本開示による光放出性宝飾品の別の実施形態の分解斜視図であり、光放出性宝飾品が、上から下へ、宝石と、経時的に宝石を通して光を蓄積しかつ放出するように構成された光放出バンドおよび光放出ディスクを有する光放出システムと、宝石および光放出システムを支持するように配置されたヘッド部分と、光放出性宝飾品を人または個人的装身具に固定するように配置された取付部分とを含むことを示し、光放出バンドが、宝石のガードルの周囲に、それらの間に空隙があるまたはない状態で位置付けられるように構成され、および光放出ディスクが宝石のキュレットと結合するように構成されることをさらに示唆する。
【図１０】図９の光放出性宝飾品の断面図であり、光放出システムが、宝石のガードルの外側表面に結合された光放出バンドと、キュレットと結合された光放出ディスクとを含み、光放出バンドおよび光放出ディスクが、図２に示唆されるように、宝石を通して紫外（ＵＶ）光または周囲光を受け取り、ある期間にわたり宝石を通して放出するためにＵＶ光または周囲光を蓄積するように構成されていることを示し、かつヘッド部分が、宝石のガードルを支持する宝石保持部分と、宝石のキュレットを支持するキュレット保持部分と、宝石保持部分とキュレット支持体との間に延びてかつそれらを相互に接続する複数の爪体とを含むことをさらに示す。
【図１１】本開示による別の光放出性宝飾品の分解斜視図であり、光放出性宝飾品が、上から下へ、ペアカットされた宝石と、ペアカットされた宝石の一部の周囲に配置され、かつペアカットされた宝石を通して光を放出するように構成された光放出システムと、ペアカットされた宝石および光放出システムを支持するように配置されたヘッド部分と、光放出性宝飾品を人または個人的装身具に固定するように配置された取付部分とを含むことを示す。
【図１２】図１１のペアカットされた宝石の上面図であり、ペアカットされた宝石が、クラウンおよびテーブルを通して宝石に進入する光の第１の部分を、見る人に戻すように方向付けるように成形され、かつ宝石に進入する光の第２の部分を、宝石から外へ光放出システムの方へ方向付けるように成形され、光の第２の部分は光放出システムによって捕捉され、ある期間にわたりペアカットされた宝石を通して戻るように放出される。
【図１３】図１２のペアカットされた宝石の底面図であり、宝石の比較的大きい研磨されたキュレットと、パビリオンの複数のファセットとを示す。
【図１４】図１２のペアカットされた宝石の立面図であり、ペアカットされた宝石が、上から下へ、外側クラウン表面とガードルの上縁部との間に画定されたクラウン角度を有する外側クラウン表面を含むクラウンと、上縁部および上縁部から離間された下縁部を有する比較的厚い研磨されたガードルと、外側パビリオン表面とガードルの下縁部との間に画定されたパビリオン角度を有する外側パビリオン表面を含むパビリオンと、比較的大きいキュレットとを含むことを示す。
【発明を実施するための形態】
【００１１】
本開示による光放出性宝飾品１０が図１〜５に示されている。この例示的実施形態において、光放出性宝飾品１０は、図１に示されるように指輪である。本開示による光放出性宝飾品１１０の別の実施形態が図６〜８に示されている。本開示によるさらに別の光放出性宝飾品２１０が図９および１０に示されている。本開示によるさらに別の光放出性宝飾品３１０が図１１〜１４に示されている。
【００１２】
光放出性宝飾品１０は、図１に示されるように、宝石１２と、光放出システム１４と、ヘッド部分１６と、取付部分１８とを含む。宝石１２は、例えば、鉱物、金属、石、プラスチック、ガラス、有色宝石、貴重または非貴重にかかわらない天然ダイヤモンド、および模造ダイヤモンドなど、装身具を作製するために使用される材料片である。光放出システム１４は、可視光が宝石１２を通して放出されることを引き起こすために、エネルギー７２（例えばＵＶ光または周囲光）の受取りおよび蓄積に応答して経時的に光を放出するための手段を提供する。可視光を経時的に放出することにより、光放出システム１４は宝石１２を照射する。特に、光放出システム１４は、人が宝石１２を見ることを可能にするために、経時的に宝石１２を照射する。見ることは、光放出性宝飾品１０が薄暗がりおよび／または暗い環境内に存在するときに最大化され得る。ヘッド部分１６は、宝石１２を取付部分１８と相互に接続する。取付部分１８は、光放出性宝飾品１０を人または個人的装身具に固定する。他の実施形態において、光放出性宝飾品１０は、ペンダント、ブレスレット、イヤリング、ブローチまたはピンであり得る。
【００１３】
実例として、宝石１２は、図１〜５に示されるように、クッションカットされたダイヤモンドである。宝石１２は、図１、２および５に示されるように、クラウン２０と、ガードル２２と、パビリオン２４と、キュレット２６とを含む。クラウン２０は、図５に示されるように、パビリオン２４の上に離間された関係で位置付けられ、その結果、それらの間にガードル２２を位置付ける。パビリオン２４は、ガードル２２とキュレット２６との間に位置付けられる。キュレット２６は、図４および５に示されるように、宝石１２の底面のほぼ平坦な面（時にファセットと呼ばれる）である。
【００１４】
例示的実施形態において、光放出システム１４は、図１および２に示されるように光放出シェル６０を含む。光放出シェル６０は、エネルギー７２（例えばＵＶ光または周囲光）の受取りおよび貯蔵に応答して宝石１２を照射するために、宝石１２を通して可視光を放出する。そのようにして、宝石１２は、貯蔵されたエネルギー７２がなくなるまで光放出シェル６０によって照射され、その結果として、宝石１２は薄暗いおよび暗い環境内で照射され視認されることができる。
【００１５】
作動中、光放出シェル６０および宝石１２は、図２に示唆されるように、光源からの光を捕捉するように協働する。例えば、光放出シェル６０および宝石１２は、図２に示されるように、宝石１２のクラウン２０の上に位置する上部光源８０からの光を捕捉するように協働する。宝石１２は、クラウン２０を通して伝達される光がガードル２２、パビリオン２４およびキュレット２６を通して光放出シェル６０に伝えられるようにカットされる。光７２または他の放射線が宝石１２に入るとき、光７２の第１の部分は宝石１２を通して戻るように伝達されて宝石１２に輝きを与え、光７２の第２の部分は光放出シェル６０に伝達されて光放出シェル６０にエネルギーを蓄える。
【００１６】
光７２は、図２に示唆されるように、光放出シェル６０に連続的にエネルギーを蓄える。光放出シェル６０は、蓄えられた光７２の一部を連続的に放出する。光放出シェル６０は、蓄えらえた光７２を、宝石のパビリオン２４、ガードル２２、およびキュレット２６を通して、およびテーブル５４およびクラウン２０から経時的に視覚的に放出する。そのようにして、宝石１２は光放出シェル６０によって照射される。日没後または暗い部屋内など、周囲光が低減すると、視覚的に放出された光７２は、より明確に観察者に見えるようになり得る。
【００１７】
宝石１２は、様々な寸法のものであり得る。いくつかの実施形態において、宝石１２は、約３．０ミリメートルの直径からいずれかの直径までの範囲の宝石であり得る。この例示的実施形態において、宝石１２は、重さ約０．６５カラットである。実例として、宝石１２は、図５に示されるような幅２８および高さ３０を有する。例示的な宝石１２の幅２８は、５．１ミリメートルである。例示的な宝石１２の高さ３０は、３．１５ミリメートルである。宝石１２の寸法は、宝石１２の幅２８のパーセンテージによって表され得る。例として、例示的な宝石１２の高さ３０は、宝石１２の幅２８の６１．８パーセントである。そのように、例示的な宝石１２は、６１．８パーセントの高さ３０を有すると言われる場合もある。
【００１８】
ガードル２２は、図５に示唆されるように、宝石１２の幅２８を画定する。例示的実施形態において、ガードル２２は、約５．１ミリメートルの幅を有する。他の実施形態において、宝石１２は、約４．０ミリメートルの直径および約０．２５カラットの重さを、約４．４ミリメートルの直径および約０．３３カラットの重さを、約５．８ミリメートルの直径および約０．７５カラットの重さを、および約６．３ミリメートルの直径および約１．０カラットの重さを、ラウンドカットされた宝石について有し得る。例示的なガードル２２は高度に研磨される。ガードル２２は、図２に示唆されるように、光放出システム１４のショルダ部分支持体６４と結合するように構成される。
【００１９】
ガードル２２は、図５に示されるように、上縁部３４と、上縁部３４から離間された下縁部３６とを含む。例示的実施形態において、下縁部３６は、図５に示されるように、宝石１２の円周周りでほぼ一定の距離だけ上縁部３４から離間され、ガードル高さ３８を画定する。いくつかの実施形態において、下縁部３６は、ガードル２２の第１の部分において第１の距離だけ、およびガードル２２の第２の部分において第２の距離だけ上縁部３４から離間される。各第１の部分は、第２の部分の対の間に円周方向に位置付けられる。第１の距離は第２の距離より大きい。
【００２０】
ガードル２２は、宝石１２と、光放出システム１４のショルダ部分支持体６４との間の表面領域係合を増大するために、比較的大きいガードル高さ３８を有する。一例において、ガードル高さ３８は、幅２８の約または明確に２パーセント〜約または明確に１５パーセントの範囲内である。別の例において、ガードル高さ３８は、幅２８の約または明確に４パーセント〜約または明確に８パーセントの範囲内である。別の例において、ガードル高さ３８は、幅２８の約または明確に４．５パーセント〜約または明確に８．５パーセントの範囲内である。別の例において、ガードル高さ３８は、幅２８の約または明確に５パーセント〜約または明確に７パーセントの範囲内である。別の例において、ガードル高さ３８は、幅２８の約または明確に５．５パーセント〜約または明確に７．５パーセントの範囲内である。別の例において、ガードル高さ３８は、幅２８の約または明確に６．５パーセントである。別の例において、ガードル高さ３８は、幅２８の約または明確に６パーセントである。別の例において、ガードル高さ３８は、幅２８の約または明確に５．５パーセントである。例示的実施形態において、ガードル高さ３８は、幅２８の６．２パーセントである。例示的実施形態において、ガードル高さ３８は、０．３２ミリメートルである。
【００２１】
いくつかの実施形態において、ガードル２２は、アメリカンスタンダードカットまたはトルコフスキーブリリアントカットなどのアイデアルカットダイヤモンドと比較したとき、比較的大きいガードル高さ３８を有する。比較的大きいガードル高さ３８は、アイデアルカットダイヤモンドよりも約１０パーセント〜約１５パーセント大きい場合がある。第１および第２部分を含む実施形態において、第１部分および第２部分は、それぞれアイデアルカットダイヤモンドの第１および第２部分よりも約１０パーセント〜約１５パーセント大きい場合がある。
【００２２】
クラウン２０は、図５に示されるように、パビリオン２４から離れる方にガードル２２から延びる。クラウン２０の外側クラウン表面４０およびガードル２２の上縁部３４は、図５に示されるように、クラウン角度４２を画定する。時にクラウン角度４２は、クラウン２０のファセットとガードル面との間に画定されると言われることもある。クラウン角度４２はまた、テーブル５４の前縁部およびガードル２２の上側前縁部によって画定されると言われることもある。一例において、クラウン角度４２は、約または明確に３６度〜約または明確に５０度の範囲内である。別の例において、クラウン角度４２は、約または明確に３９度〜約または明確に４６度の範囲内である。別の例において、クラウン角度４２は、約または明確に３９度〜約または明確に４５度の範囲内である。別の例において、クラウン角度４２は、約または明確に３９度〜約または明確に４４度の範囲内である。別の例において、クラウン角度４２は、約または明確に４０度〜約または明確に４６度の範囲内である。別の例において、クラウン角度４２は、約または明確に４１度〜約または明確に４６度の範囲内である。別の例において、クラウン角度４２は、約または明確に４４度〜約または明確に４６度の範囲内である。別の例において、クラウン角度４２は、約または明確に４５度〜約または明確に４６度の範囲内である。
【００２３】
別の例において、クラウン角度４２は、約または明確に３６度〜約または明確に４５度の範囲内である。別の例において、クラウン角度４２は、約または明確に３８度〜約または明確に４２度の範囲内である。別の例において、クラウン角度４２は、約または明確に３９度〜約または明確に４１度の範囲内である。別の例において、クラウン角度４２は、約または明確に４０度である。例示的実施形態において、クラウン角度４２は、３９．５度である。
【００２４】
クラウン２０は、図５に示されるように、宝石１２のテーブル５４と、ガードル２２の上縁部３４との間に画定されるクラウン高さ４４を含む。一例において、クラウン高さ４４は、宝石１２の幅２８の約または明確に１６パーセント〜約または明確に２０パーセントの範囲内である。別の例において、クラウン高さ４４は、幅２８の約または明確に１７パーセント〜約または明確に１９パーセントの範囲内である。別の例において、クラウン高さ４４は、幅２８の約または明確に１８パーセントである。別の例において、クラウン高さ４４は、幅２８の約または明確に１６パーセントである。例示的実施形態において、クラウン高さ４４は、幅２８の１７．８パーセントである。例示的実施形態において、クラウン高さ４４は、０．９１ミリメートルである。
【００２５】
別の例において、クラウン高さ４４は、幅２８の約または明確に１５パーセント〜約または明確に１９パーセントの範囲内である。別の例において、クラウン高さ４４は、幅２８の約または明確に１６パーセント〜約または明確に１８パーセントの範囲内である。
【００２６】
パビリオン２４は、図５に示されるように、ガードル２２とキュレット２６との間に延び、それらを相互に接続する。パビリオン２４は、ガードル２２とキュレット２６との間に延びてかつそれらを相互に接続する複数の外側パビリオン表面４６（時にファセットと称される）を含む。パビリオン角度４８が、図５に示されるように、パビリオン２４の各外側パビリオン表面４６と、ガードル２２の下縁部３６との間に画定される。
【００２７】
一例において、パビリオン角度４８は、約または明確に３６度〜約または明確に５０度の範囲内である。別の例において、パビリオン角度４８は、約または明確に３９度〜約または明確に４５度の範囲内である。別の例において、パビリオン角度４８は、約または明確に４０度〜約または明確に４５度の範囲内である。別の例において、パビリオン角度４８は、約または明確に４１度〜約または明確に４５度の範囲内である。別の例において、パビリオン角度４８は、約または明確に４２度〜約または明確に４５度の範囲内である。別の例において、パビリオン角度４８は、約または明確に４３度〜約または明確に４５度の範囲内である。
【００２８】
別の例において、パビリオン角度４８は、約または明確に３９度〜約または明確に４４度の範囲内である。別の例において、パビリオン角度４８は、約または明確に３９度〜約または明確に４３度の範囲内である。別の例において、パビリオン角度４８は、約または明確に３９度〜約または明確に４２度の範囲内である。別の例において、パビリオン角度４８は、約または明確に３９度〜約または明確に４０度の範囲内である。
【００２９】
別の例において、パビリオン角度４８は、約または明確に３６度〜約または明確に４５度の範囲内である。別の例において、パビリオン角度４８は、約または明確に３８度〜約または明確に４２度の範囲内である。別の例において、パビリオン角度４８は、約または明確に３９度〜約または明確に４１度の範囲内である。別の例において、パビリオン角度４８は、約または明確に４０度である。例示的実施形態において、パビリオン角度４８は、３９．７度である。
【００３０】
パビリオン２４は、図５に示されるように、ガードル２２の下縁部３６とキュレット２６との間に画定されるパビリオン深さ５０を含む。一例において、パビリオン深さ５０は、幅２８の約または明確に３６パーセント〜約または明確に４０パーセントの範囲内である。別の例において、パビリオン深さ５０は、幅２８の約または明確に３７パーセント〜約または明確に３９パーセントの範囲内である。別の例において、パビリオン深さ５０は、幅２８の約または明確に３８．５パーセントである。別の例において、パビリオン深さ５０は、幅２８の約または明確に３８パーセントである。例示的実施形態において、パビリオン深さ５０は、幅２８の３７．５パーセントである。例示的実施形態において、パビリオン深さ５０は、１．９１ミリメートルである。
【００３１】
別の例において、パビリオン深さ５０は、幅２８の約または明確に３７パーセント〜約または明確に４１パーセントの範囲内である。別の例において、パビリオン深さ５０は、幅２８の約または明確に３８パーセント〜約または明確に４０パーセントの範囲内である。
【００３２】
キュレット２６は、図２に示唆されるように、光放出システム１４と結合するように構成される。キュレット２６は、光放出システム１４から宝石１２に入るより多くの光の吸収のために、宝石１２と光放出システム１４との間の表面領域係合を増大するように比較的大きい寸法である。いくつかの実施形態において、キュレット２６は、図２に示唆されるように、光放出システム１４に含まれるキュレットカバー６６と結合する。他の実施形態において、キュレット２６は、図９および１０に示唆されるように、光放出システム２１４に含まれる光放出ディスク２８２と結合する。
【００３３】
キュレット２６は、図５に示されるように、キュレット幅５２（時にキュレット直径と称される）を含む。一例において、キュレット幅５２は、宝石１２の幅２８の約または明確に７．５パーセント〜約または明確に２２パーセントの範囲内である。別の例において、キュレット幅５２は、幅２８の約または明確に９パーセント〜約または明確に１３パーセントの範囲内である。別の例において、キュレット幅５２は、幅２８の約または明確に１０パーセント〜約または明確に１２パーセントの範囲内である。別の例において、キュレット幅５２は、幅２８の約または明確に１１パーセントである。別の例において、キュレット幅５２は、幅２８の１１．８パーセントである。例示的実施形態において、キュレット幅５２は、０．６０ミリメートルである。
【００３４】
別の例において、キュレット幅５２は、幅２８の約または明確に１８パーセント〜約または明確に２２パーセントの範囲内である。別の例において、キュレット幅５２は、幅２８の約または明確に１９パーセント〜約または明確に２０パーセントの範囲内である。別の例において、キュレット幅５２は、幅２８の約または明確に２０パーセントである。別の例において、キュレット幅５２は、幅２８の約または明確に１８パーセントである。
【００３５】
キュレット２６は、例えば、アメリカンスタンダードカットまたはトルコフスキーブリリアントカットなどのアイデアルカットダイヤモンドと比較したとき、大きい寸法であり得る。キュレット２６は、アイデアルカットダイヤモンドのキュレットよりも約１０パーセント〜約１５パーセント大きい場合がある。いくつかの実施形態において、キュレット２６は、アイデアルカットダイヤモンドのキュレットよりも約１３パーセント大きい。例示的実施形態において、キュレット２６は偏心している。実例として、キュレット２６は１．８パーセントだけ偏心している。キュレット２６はまた高度に研磨され得る。
【００３６】
宝石１２は、図５に示されるようなテーブル幅５６を含むテーブル５４をさらに含む。一例において、テーブル幅５６は、宝石１２の幅２８の約または明確に４５パーセント〜約または明確に６５パーセントの範囲内である。別の例において、テーブル幅５６は、幅２８の約または明確に５０パーセント〜約または明確に６０パーセントの範囲内である。別の例において、テーブル幅５６は、幅２８の約または明確に５１．５パーセント〜約または明確に５９パーセントの範囲内である。別の例において、テーブル幅５６は、幅２８の約または明確に５４パーセント〜約または明確に５６．５パーセントの範囲内である。別の例において、テーブル幅５６は、幅２８の約または明確に５５パーセントである。別の例において、テーブル幅５６は、幅２８の６１パーセントである。例示的実施形態において、テーブル幅５６は、幅２８の５６．２パーセントである。例示的実施形態において、テーブル幅５６は、２．８７ミリメートルである。例示的なテーブル５４は０．１２ミリメートルだけ偏心している。
【００３７】
光放出システム１４は、図２に示されるように、宝石１２を照射するためにある期間にわたり光を放出する。一例において、光放出システム１４は、緑色光を放出し得る。別の例において、光放出システム１４は、青色光を放出し得る。なおもさらに別の例において、光放出システム１４は、他のいずれかの適切な光の色を放出し得る。他の実施形態において、光放出システム１４は、複数の光の色を放出する。
【００３８】
実例として、光放出シェル６０は、フォトルミネッセント材料から作製される。いくつかの実施形態において、光放出シェル６０は、プラスチック材料を含む。いくつかの実施形態において、光放出シェル６０は、フォトルミネッセント材料およびプラスチック材料を含む。光放出シェル６０は、フォトルミネッセント材料からロトキャストまたは射出成形され得る。一例において、フォトルミネッセント材料は、リンを含む材料およびポリ塩化ビニルを含む。別の例において、フォトルミネッセント材料は、リンを含む材料およびアクリル系材料を含む。別の例において、フォトルミネッセント材料は、リンを含む材料、ポリ塩化ビニル、アクリル系材料、それらの混合物、または他のいずれかの適切な代替材料を含み得る。例示的実施形態において、光放出シェル６０は、約０．５ミリメートルの厚さを有する。
【００３９】
光放出シェル６０は、図１に示唆されるように、ヘッド部分１６に固定された位置で結合される。光放出シェル６０は、宝石１２と光放出シェル６０との間の空間を最小化するような方法で宝石１２と結合され、その結果、例えば水分、土または結露など、宝石１２と光放出シェル６０との間に蓄積される屑の進入が最小化されるようにする。例示的実施形態において、光放出シェル６０は、宝石１２の外側表面に結合される。
【００４０】
宝石１２と光放出シェル６０との間の空間は、１つまたは複数の製造技法によって最小化され得る。一例において、光放出シェル６０は射出成形される。この例において、宝石１２は、分離可能なシーラントを用いて型の一部に結合される。射出成形中、溶融プラスチック材料が宝石１２の周りを流れ、宝石１２と型との間に形成された型の空洞部分に流れ込む。結果として、宝石１２と光放出シェル６０との間の空間は最小化され、光放出シェル６０に対する宝石１２の正確な角度が提供される。宝石１２は、成形後、宝石１２を型から押し出す分離ピンを用いて型から取り出され得る。加えて、ガスケットが宝石１２のガードル２２と型との間に位置付けられてもよく、それにより、プラスチック材料が宝石１２のクラウン２０の周囲から流れ出ることを最小化する。
【００４１】
光放出シェル６０は、図２に示されるように、本体６２と、ショルダ部分支持体６４と、キュレットカバー６６とを含む。本体６２は、パビリオン２４と係合し、宝石１２を通して光を吸収および放出する。ショルダ部分支持体６４は、ガードル２２と係合し、かつガードル２２をヘッド部分１６と結合する。キュレットカバー６６は、キュレット２６と係合し、かつ宝石１２をヘッド部分１６と結合する。
【００４２】
本体６２は、複数の側壁６８から形成される。側壁６８は、宝石１２のパビリオン２４に含まれる外側パビリオン表面３２とほぼ平行である。側壁６８は、宝石１２のパビリオン２４と係合しかつ結合する。実例として、側壁６８は、約０．５ミリメートルの厚さを有する。
【００４３】
複数の側壁６８は、光放出シェル６０内で延びる宝石受容部分開口７０を形成するために協同する。宝石１２は、宝石受容部分開口７０内に受け入れられ、本体６２の側壁６８をパビリオン２４のパビリオン表面３２と係合させる。例示的実施形態において、シーラントが宝石１２と本体６２との間に配置され、宝石１２の外側表面と本体６２を相互に結合する。シーラントは、屑が宝石１２と本体６２との間で宝石受容部分開口７０に進入することを防止する。
【００４４】
ショルダ部分支持体６４は、図２に示されるように、本体６２から半径方向外側に延び、宝石１２から離れる方に延びる。ショルダ部分支持体６４は、本体６２の周囲に円周方向に延びる。ショルダ部分支持体６４は、宝石１２のガードル２２と係合し、光放出シェル６０を宝石１２と結合する。例示的実施形態において、ショルダ部分支持体６４は、ガードル２２の厚さにほぼ等しい厚さを有する。そのようにして、ショルダ部分支持体６４は、本体６２から上方へ、ガードル２２の上縁部３４まで延びる。他の実施形態において、ショルダ部分支持体６４は、ガードル２２の厚さ未満の厚さを有する。結果として、ショルダ部分支持体６４は、反転されたＬ字形を有し得る。
【００４５】
キュレットカバー６６は、図１および２に示されるように、本体６２から下方へ延び、宝石１２から離れる方に延びる。キュレットカバー６６は、宝石１２を支持するために、ヘッド部分１６とキュレット２６との間に位置付けられる。キュレットカバー６６は、ヘッド部分１６内に形成される空間に受け入れられ、光放出シェル６０がヘッド部分１６から移動することを防止する。光放出性宝飾品１０がヘッド部分表面と衝突する場合、キュレットカバー６６は、ヘッド部分１６がキュレット２６と直接衝突することを防止する。
【００４６】
ヘッド部分１６は、図１に示されるように、宝石保持部分７４と、キュレット支持体７６と、複数の爪体７８とを含む。宝石保持部分７４は、宝石１２のガードル２２および光放出シェル６０のショルダ部分支持体６４と結合し、宝石１２とヘッド部分１６との間に光放出シェル６０を保持する。キュレット支持体７６は、宝石保持部分７４に対して離間された関係で位置付けられ、宝石１２のキュレット２６と結合し、光放出シェル６０のキュレットカバー６６を宝石１２とヘッド部分１６との間に保持する。爪体７８は、宝石保持部分７４とキュレット支持体７６との間に延び、それらを相互に接続する。
【００４７】
いくつかの実施形態において、光放出システム１４は、ラジオルミネッセンスを介してパワー供給される少なくとも１つの光源を含む。いくつかの実施形態において、少なくとも１つの光源は、トリチウム照射によってパワー供給される。いくつかの実施形態において、光放出性宝飾品１０は、宝飾品１０と呼ばれる。いくつかの実施形態において、光放出システム１１４、２１４および３１４は、ラジオルミネッセンスを介してパワー供給される少なくとも１つの光源を含む。
【００４８】
宝石、光放出システムおよびヘッド部分に関連する開示に関して、２０１４年９月１６日に出願されたＬＩＧＨＴ  ＥＭＩＴＴＩＮＧ  ＪＥＷＥＬＲＹという名称の（特許文献１）が本明細書により参照される。この特許出願は、その全体が本明細書に援用される。
【００４９】
本開示による別の光放出性宝飾品１１０が図６〜８に示されている。光放出性宝飾品１１０は、宝石１１２と、光放出システム１４と、ヘッド部分１６と、取付部分１８とを含む。宝石１１２は、例えば、鉱物、金属、石、プラスチック、ガラス、有色宝石、貴重または非貴重にかかわらない天然ダイヤモンド、および模造ダイヤモンドなど、装身具を作製するために使用される材料片である。光放出システム１４は、オーバルカットされた宝石を受け入れるように構成され、かつ経時的に光を放出するための手段を提供するように構成され、それにより、可視光は宝石１２を通して放出され、および光放出性宝飾品１１０が薄暗い乃至暗い環境内にあるときに人によって見られるようになる。ヘッド部分１６は、宝石１１２を取付部分１８と相互に接続する。取付部分１８は、光放出性宝飾品１１０を人または個人的装身具に固定する。
【００５０】
実例として、宝石１１２は、図６および７に示されるようにオーバルカットされたダイヤモンドである。宝石１１２は、図８に示されるようにクラウン１２０、ガードル１２２、パビリオン１２４、およびキュレット１２６を含む。
【００５１】
実例として、宝石１１２は、図６および８に示されるように、幅１２８、長さ１３２、および高さ１３０を有する。例示的な宝石１１２の幅１２８は４．９６ミリメートルであり、長さ１３２は６．４７ミリメートルである。例示的な宝石１１２の高さ１３０は３．０６ミリメートルである。宝石１１２の寸法は、宝石１１２の幅１２８のパーセンテージによって表され得る。例として、例示的な宝石１１２の高さ１３０は、宝石１１２の幅１２８の６１．７パーセントである。そのように、例示的な宝石１１２は、６１．７パーセントの高さ１３０を有すると言われる場合もある。例示的な実施形態において、宝石１１２は重さが約０．７４カラットである。
【００５２】
オーバルカットされた宝石１１２は、図６に示唆されるような長さ対幅の比率を含む。一例において、長さ対幅の比率は約１．０〜約１．５である。例示的実施形態において、長さ対幅の比率は約１．３０である。
【００５３】
ガードル１２２は、図６に示されるように、宝石１１２の幅に等しい幅と、宝石１１２の長さに等しい長さとを有する。例示的なガードル１２２は高度に研磨される。ガードル１２２は光放出システム１４と結合するように構成される。
【００５４】
ガードル１２２は、図８に示されるように、上縁部１３４と、上縁部１３４から離間された下縁部１３６とを含む。例示的実施形態において、下縁部１３６は、図８に示されるように、宝石１１２の円周周りでほぼ一定の距離だけ上縁部１３４から離間され、ガードル高さ１３８を画定する。いくつかの実施形態において、下縁部１３６は、ガードル１２２の第１の部分において第１の距離だけ、およびガードル１２２の第２の部分において第２の距離だけ上縁部１３４から離間される。各第１の部分は、第２の部分の対の間に円周方向に位置付けられる。第１の距離は第２の距離より大きい。
【００５５】
ガードル１２２は、図８に示唆されるように、宝石１１２と、光放出システム１４との間の表面領域係合を増大するために、比較的大きいガードル高さ１３８を有する。一例において、ガードル高さ１３８は、宝石１１２の幅１２８の約または明確に２パーセント〜約または明確に１５パーセントの範囲内である。別の例において、ガードル高さ１３８は、幅１２８の約または明確に４．５パーセント〜約または明確に８．５パーセントの範囲内である。別の例において、ガードル高さ１３８は、幅１２８の約または明確に５．５パーセント〜約または明確に７．５パーセントの範囲内である。別の例において、ガードル高さ１３８は、幅１２８の約または明確に６．５パーセントである。例示的実施形態において、ガードル高さ１３８は、幅１２８の６．７パーセントである。例示的実施形態において、ガードル高さ１３８は、０．３３ミリメートルである。
【００５６】
別の例において、ガードル高さ１３８は、幅１２８の約または明確に４パーセント〜約または明確に８パーセントの範囲内である。別の例において、ガードル高さ１３８は、幅１２８の約または明確に５パーセント〜約または明確に７パーセントの範囲内である。別の例において、ガードル高さ１３８は、幅１２８の約または明確に６パーセントである。
【００５７】
クラウン１２０は、図８に示されるように、パビリオン１２４から離れる方にガードル１２２から延びる。クラウン１２０の外側クラウン表面１４０およびガードル１２２の上縁部１３４は、図８に示されるように、クラウン角度１４２を画定する。一例において、クラウン角度１４２は、約または明確に３６度〜約または明確に５０度の範囲内である。別の例において、クラウン角度１４２は、約または明確に３９度〜約または明確に４６度の範囲内である。別の例において、クラウン角度１４２は、約または明確に３９度〜約または明確に４５度の範囲内である。別の例において、クラウン角度１４２は、約または明確に３９度〜約または明確に４４度の範囲内である。別の例において、クラウン角度１４２は、約または明確に４０度〜約または明確に４６度の範囲内である。別の例において、クラウン角度１４２は、約または明確に４１度〜約または明確に４６度の範囲内である。別の例において、クラウン角度１４２は、約または明確に４４度〜約または明確に４６度の範囲内である。別の例において、クラウン角度１４２は、約または明確に４５度〜約または明確に４６度の範囲内である。
【００５８】
別の例において、クラウン角度１４２は、約または明確に３６度〜約または明確に４５度の範囲内である。別の例において、クラウン角度１４２は、約または明確に３８度〜約または明確に４２度の範囲内である。別の例において、クラウン角度１４２は、約または明確に３９度〜約または明確に４１度の範囲内である。別の例において、クラウン角度１４２は、約または明確に４０度である。例示的実施形態において、クラウン角度１４２は、３９．４度である。
【００５９】
クラウン１２０は、図８に示されるように、宝石１１２のテーブル１５４と、ガードル１２２の上縁部１３４との間に画定されるクラウン高さ１４４を含む。一例において、クラウン高さ１４４は、宝石１１２の幅１２８の約または明確に１５パーセント〜約または明確に１９パーセントの範囲内である。別の例において、クラウン高さ１４４は、幅１２８の約または明確に１６パーセント〜約または明確に１８パーセントの範囲内である。別の例において、クラウン高さ１４４は、幅１２８の約または明確に１７パーセントである。例示的実施形態において、クラウン高さ１４４は、幅１２８の１６．５パーセントである。例示的実施形態において、クラウン高さ１４４は、０．８２ミリメートルである。
【００６０】
別の例において、クラウン高さ１４４は、幅１２８の約または明確に１６パーセント〜約または明確に２０パーセントの範囲内である。別の例において、クラウン高さ１４４は、幅１２８の約または明確に１７パーセント〜約または明確に１９パーセントの範囲内である。別の例において、クラウン高さ１４４は、幅１２８の約または明確に１８パーセントである。
【００６１】
パビリオン１２４は、図８に示されるように、ガードル１２２とキュレット１２６との間に延び、それらを相互に接続する。パビリオン１２４は、ガードル１２２とキュレット１２６との間に延びかつそれらを相互に接続する複数の外側パビリオン表面１４６を含む。パビリオン角度１４８が、パビリオン１２４の各外側パビリオン表面１４６と、ガードル１２２の下縁部１３６との間に画定される。
【００６２】
一例において、パビリオン角度１４８は、約または明確に３６度〜約または明確に５０度の範囲内である。別の例において、パビリオン角度１４８は、約または明確に３９度〜約または明確に４５度の範囲内である。別の例において、パビリオン角度１４８は、約または明確に４０度〜約または明確に４５度の範囲内である。別の例において、パビリオン角度１４８は、約または明確に４１度〜約または明確に４５度の範囲内である。別の例において、パビリオン角度１４８は、約または明確に４２度〜約または明確に４５度の範囲内である。別の例において、パビリオン角度１４８は、約または明確に４３度〜約または明確に４５度の範囲内である。
【００６３】
別の例において、パビリオン角度１４８は、約または明確に３９度〜約または明確に４４度の範囲内である。別の例において、パビリオン角度１４８は、約または明確に３９度〜約または明確に４３度の範囲内である。別の例において、パビリオン角度１４８は、約または明確に３９度〜約または明確に４２度の範囲内である。別の例において、パビリオン角度１４８は、約または明確に３９度〜約または明確に４０度の範囲内である。
【００６４】
別の例において、パビリオン角度１４８は、約または明確に３６度〜約または明確に４５度の範囲内である。別の例において、パビリオン角度１４８は、約または明確に３８度〜約または明確に４２度の範囲内である。別の例において、パビリオン角度１４８は、約または明確に３９度〜約または明確に４１度の範囲内である。別の例において、パビリオン角度１４８は、約または明確に４０度である。例示的実施形態において、パビリオン角度１４８は、３９．２度である。
【００６５】
パビリオン１２４は、図８に示されるように、ガードル１２２の下縁部１３６とキュレット１２６との間に画定されるパビリオン深さ１５０を含む。一例において、パビリオン深さ１５０は、宝石の幅１２８の約または明確に３７パーセント〜約または明確に４１パーセントの範囲内である。別の例において、パビリオン深さ１５０は、幅１２８の約または明確に３８パーセント〜約または明確に４０パーセントの範囲内である。別の例において、パビリオン深さ１５０は、幅１２８の約または明確に３９パーセントである。例示的実施形態において、パビリオン深さ１５０は、幅１２８の３８．３パーセントである。例示的実施形態において、パビリオン深さ１５０は、１．９０ミリメートルである。
【００６６】
別の例において、パビリオン深さ１５０は、宝石の幅１２８の約または明確に３８パーセント〜約または明確に４２パーセントの範囲内である。別の例において、パビリオン深さ１５０は、幅１２８の約または明確に３９パーセント〜約または明確に４１パーセントの範囲内である。別の例において、パビリオン深さ１５０は、幅１２８の約または明確に４０パーセントである。
【００６７】
キュレット１２６は、図２に示唆されるように、光放出システム１４と結合するように構成される。キュレット１２６は、光放出システム１４から宝石１１２に入るより多くの光の吸収のために、宝石１１２と光放出システム１４との間の表面領域係合を増大するように比較的大きい寸法である。
【００６８】
キュレット１２６は、図８に示されるように、キュレット幅１５２（時にキュレット直径と称される）を含む。一例において、キュレット幅１５２は、宝石１１２の幅１２８の約または明確に７．５パーセント〜約または明確に２０パーセントの範囲内である。別の例において、キュレット幅１５２は、幅１２８の約または明確に１８パーセント〜約または明確に２２パーセントの範囲内である。別の例において、キュレット幅１５２は、幅１２８の約または明確に１９パーセント〜約または明確に２１パーセントの範囲内である。別の例において、キュレット幅１５２は、幅１２８の約または明確に２０パーセントである。例示的実施形態において、キュレット幅１５２は、幅１２８の約または明確に１８パーセントである。例示的実施形態において、キュレット幅１５２は、０．９９ミリメートルである。
【００６９】
別の例において、キュレット幅１５２は、幅１２８の約または明確に９パーセント〜約または明確に１３パーセントの範囲内である。別の例において、キュレット幅１５２は、幅１２８の約または明確に１０パーセント〜約または明確に１２パーセントの範囲内である。別の例において、キュレット幅１５２は、幅１２８の約または明確に１１パーセントである。
【００７０】
例示的実施形態において、キュレット１２６は偏心している。実例として、キュレット１２６は２．８パーセントだけ偏心している。キュレット１２６は高度に研磨され得る。
【００７１】
宝石１１２は、図８に示されるようなテーブル幅１５６を含むテーブル１５４をさらに含む。一例において、テーブル幅１５６は、宝石１１２の幅１２８の約または明確に４５パーセント〜約または明確に６５パーセントの範囲内である。別の例において、テーブル幅１５６は、幅１２８の約または明確に５９パーセント〜約または明確に６３パーセントの範囲内である。別の例において、テーブル幅１５６は、幅１２８の約または明確に６１パーセント〜約または明確に６２パーセントの範囲内である。別の例において、テーブル幅１５６は、幅１２８の約または明確に６１．５パーセントである。例示的実施形態において、テーブル幅１５６は、幅１２８の６１．１パーセントである。例示的実施形態において、テーブル幅１５６は、３．０３ミリメートルである。例示的なテーブル１５４は０．０６ミリメートルだけ偏心している。
【００７２】
別の例において、テーブル幅１５６は、幅１２８の約または明確に５１．５パーセント〜約または明確に５９パーセントの範囲内である。別の例において、テーブル幅１５６は、幅１２８の約または明確に５４パーセント〜約または明確に５６．５パーセントの範囲内である。別の例において、テーブル幅１５６は、幅１２８の５５．２５パーセントである。
【００７３】
本開示による別の光放出性宝飾品２１０が図９および１０に示されている。光放出性宝飾品２１０は、宝石２１２と、光放出システム２１４と、ヘッド部分２１６と、取付部分１８とを含む。宝石２１２は、例えば、鉱物、金属、石、プラスチック、ガラス、有色宝石、貴重または非貴重にかかわらない天然ダイヤモンド、および模造ダイヤモンドなど、装身具を作製するために使用される材料片である。光放出システム２１４は、可視光が宝石２１２を通して放出されるように、経時的に光を放出するための手段を提供するように構成される。そのようにして、宝石２１２は、光放出性宝飾品２１０が薄暗い乃至暗い環境内にあるとき、人によって見られる可能性がある。ヘッド部分２１６は、宝石２１２を取付部分１８と相互に接続する。取付部分１８は、光放出性宝飾品２１０を人または個人的装身具に固定する。
【００７４】
実例として、宝石２１２は、ラウンドカットされたダイヤモンドである。宝石２１２は、図９および１０に示されるように、クラウン２２０、ガードル２２２、パビリオン２２４、およびキュレット２２６を含む。
【００７５】
光放出システム２１４は、図１０に示唆されるように、宝石２１２を照射するためにある期間にわたり光を放出する。一例において、光放出システム２１４は、緑色光を放出し得る。別の例において、光放出システム２１４は、青色光を放出し得る。なおもさらに別の例において、光放出システム２１４は、他のいずれかの適切な光の色を放出し得る。他の実施形態において、光放出システム２１４は、複数の光の色を放出する。
【００７６】
光放出システム２１４は、図９および１０に示されるように、光放出バンド２８０と、光放出ディスク２８２とを含む。光放出バンド２８０および光放出ディスク２８２は、エネルギー７２（例えばＵＶ光または周囲光）の受取りおよび蓄積に応答して宝石２１２を照射するために宝石２１２を通して可視光を放出する。そのようにして、宝石２１２は、蓄積されたエネルギー７２が欠乏するまで、光放出システム２１４によって暗い環境内で照射される。光放出バンド２８０は、宝石２１２と比べて光放出ディスク２８２から離間され、それにより、光放出バンド２８０と光放出ディスク２８２との間で光がパビリオン２２４に進入することを許容する。結果として、明るいまたは昼光の環境内で宝石中の光沢および輝度が最大化され得る。
【００７７】
光放出バンド２８０は、図１０に示されるように、宝石２１２のガードル２２２の周囲に延びる上側部分２９０を含む。いくつかの例において、光放出バンド２８０は、パビリオン２２４の一部の周囲に延びるように構成された下側部分２９２を含む。例示的実施形態において、光放出バンド２８０の下側部分２９２は、バンド角度だけ上側部分２９０から離れる方に延び、バンド角度はパビリオン角度２４８にほぼ等しい。例示的実施形態において、下側部分２９２は、上側部分２９０から延び、パビリオン２２４の一部上のある地点で終端し、その結果、光放出バンド２８０は、宝石２１２と比べてキュレット２２６から離間され、それにより、周囲光がそれらの間でパビリオン２２４を通して宝石２１２に進入することを許容する。
【００７８】
光放出バンド２８０の上側部分２９０は、上側表面２９４と下側表面２９６とを含む。上側部分２９０の上側表面２９４は、光放出バンド２８０から外方に上方に面するように配置される。上側部分２９０の下側表面２９６は、光放出バンド２８０の下側部分２９２の方に下方に面するように配置される。光放出バンド２８０の上側部分２９０は、ガードル２２２と係合しかつ宝石２１２の周囲に延びるように構成される。
【００７９】
光放出バンド２８０の下側部分２９２は、上側表面２９８と下側表面３００とを含む。下側部分２９２の上側表面２９８は、光放出バンド２８０の下側部分２９２から外方に上方に面するように配置される。下側部分２９２の上側表面２９８は、上側部分２９０の下側表面２９６と係合するように構成される。下側部分２９２の下側表面３００は、光放出バンド２８０の下側部分２９２から外方に下方に面するように配置される。光放出バンド２８０の下側部分２９２は、パビリオン２２４と係合しかつパビリオン２２４の周囲に延び、およびキュレットカバー２２６と離間された関係で終端するように構成される。
【００８０】
光放出バンド２８０は、図９に示されるように、宝石２１２を受け入れるように寸法決めされた宝石受容部分開口２７０を含むように形成される。光放出バンド２８０は、ガードル２２２の外側表面に結合される。例示的実施形態において、光放出バンド２８０は、パビリオン２２４の外側表面に結合される。実例として、光放出バンド２８０は、フォトルミネッセント材料から作製される。一例において、フォトルミネッセント材料は、リンを含む材料およびポリ塩化ビニルを含む。別の例において、フォトルミネッセント材料は、リンを含む材料およびアクリル系材料を含む。別の例において、フォトルミネッセント材料は、リンを含む材料、ポリ塩化ビニル、アクリル系材料、それらの混合物、または他のいずれかの適切な代替材料を含み得る。例示的実施形態において、光放出バンド２８０は、約０．５ミリメートルの厚さを有する。いくつかの実施形態において、光放出バンド２８０は、プラスチック材料を含む。
【００８１】
光放出ディスク２８２は、図１０に示されるように、宝石２１２のキュレット２２６と結合するように構成された中実シリンダを実例として形成する。光放出ディスク２８２の上面２８３はキュレット２２６の外側表面２２７に結合される。実例として、光放出ディスク２８２は、フォトルミネッセント材料から作製される。一例において、フォトルミネッセント材料は、リンを含む材料およびポリ塩化ビニルを含む。別の例において、フォトルミネッセント材料は、リンを含む材料およびアクリル系材料を含む。別の例において、フォトルミネッセント材料は、リンを含む材料、ポリ塩化ビニル、アクリル系材料、それらの混合物、または他のいずれかの適切な代替材料を含み得る。例示的実施形態において、光放出ディスク２８２は、約０．５ミリメートルの厚さを有する。いくつかの実施形態において、光放出ディスク２８２は、プラスチック材料を含む。
【００８２】
ヘッド部分２１６は、図９および１０に示されるように、宝石保持部分２７４と、キュレット支持体２７６と、複数の爪体２７８とを含む。宝石保持部分２７４は、宝石２１２のガードル２２２および光放出バンド２８０と結合し、図１０に示されるように、宝石２１２とヘッド部分２１６との間に光放出バンド２８０を保持する。一例において、宝石保持部分２７４は、光放出バンドの上面をカバーし、それにより、使用者が、光放出バンドの上面から直接放出された光を見ることを防止し、およびその光を宝石内に戻すように方向付ける。キュレット支持体２７６は宝石保持部分２７４に対して離間された関係で位置付けられ、光放出ディスク２８２と結合し、図１０に示唆されるように、光放出ディスク２８２を宝石２１２のキュレット２２６とヘッド部分２１６との間に保持する。爪体２７８は宝石保持部分２７４とキュレット支持体２７６との間に延び、それらを相互に接続する。
【００８３】
本開示による別の光放出性宝飾品３１０が図１１〜１４に示されている。光放出性宝飾品３１０は、宝石３１２と、光放出システム３１４と、ヘッド部分３１６と、取付部分１８とを含む。宝石３１２は、例えば、鉱物、金属、石、プラスチック、ガラス、有色宝石、貴重または非貴重にかかわらない天然ダイヤモンド、および模造ダイヤモンドなど、装身具を作製するために使用される材料片である。光放出システム３１４は、ペアカットされた宝石を受け入れるように構成され、かつ経時的に光を放出するための手段を提供するように構成され、それにより、可視光は宝石３１２を通して放出され、および光放出性宝飾品３１０が薄暗い乃至暗い環境内にあるときに人によって見られるようになる。ヘッド部分３１６は、宝石３１２を取付部分１８と相互に接続する。取付部分１８は、光放出性宝飾品３１０を人または個人的装身具に固定する。
【００８４】
実例として、宝石３１２は、図１２に示されるようにペアカットされたダイヤモンドである。宝石３１２は、図１４に示されるように、クラウン３２０、ガードル３２２、パビリオン３２４、およびキュレット３２６を含む。
【００８５】
実例として、宝石３１２は図１２〜１４に示されるように、幅３２８、長さ３３２、および高さ３３０を有する。例示的な宝石３１２の幅３２８は４．５７ミリメートルであり、長さ３３２は６．３６ミリメートルである。例示的な宝石３１２の高さ３３０は３．１５ミリメートルである。宝石３１２の寸法は、宝石３１２の幅３２８のパーセンテージによって表され得る。例として、例示的な宝石３１２の高さ３３０は、宝石３１２の幅３２８の６８．９パーセントである。そのように、例示的な宝石３１２は、６８．９パーセントの高さ３３０を有すると言われる場合もある。例示的実施形態において、宝石３１２は重さが約０．６３カラットである。
【００８６】
ペアカットされた宝石３１２は、図１２に示唆されるような長さ対幅の比率を含む。一例において、長さ対幅の比率は約１．０〜約１．５である。例示的実施形態において、長さ対幅の比率は約１．３９である。
【００８７】
ガードル３２２は、光放出システム３１４と結合するように構成される。ガードル３２２は、図１２に示されるように、宝石３１２の幅に等しい幅と、宝石３１２の長さに等しい長さとを有する。例示的なガードル３２２は高度に研磨される。
【００８８】
ガードル３２２は、図１４に示されるように、上縁部３３４と、上縁部３３４から離間された下縁部３３６とを含む。例示的実施形態において、下縁部３３６は、図１４に示されるように、宝石３１２の円周周りでほぼ一定の距離だけ上縁部３３４から離間され、ガードル高さ３３８を画定する。いくつかの実施形態において、下縁部３３６は、ガードル３２２の第１の部分において第１の距離だけ、およびガードル３２２の第２の部分において第２の距離だけ上縁部３３４から離間される。各第１の部分は、第２の部分の対の間に円周方向に位置付けられる。第１の距離は第２の距離より大きい。
【００８９】
ガードル３２２は、図１４に示唆されるように、宝石３１２と、光放出システム３１４との間の表面領域係合を増大するために、比較的大きいガードル高さ３３８を有する。一例において、ガードル高さ３３８は、宝石３１２の幅３２８の約または明確に２パーセント〜約または明確に１５パーセントの範囲内である。別の例において、ガードル高さ３３８は、幅３２８の約または明確に４．５パーセント〜約または明確に８．５パーセントの範囲内である。別の例において、ガードル高さ３３８は、幅３２８の約または明確に５．５パーセント〜約または明確に７．５パーセントの範囲内である。別の例において、ガードル高さ３３８は、幅３２８の約または明確に６．９パーセント〜約または明確に７．５パーセントの範囲内である。別の例において、ガードル高さ３３８は、幅３２８の約または明確に７．２パーセントである。例示的実施形態において、ガードル高さ３３８は、０．３３ミリメートルである。
【００９０】
別の例において、ガードル高さ３３８は、幅３２８の約または明確に４パーセント〜約または明確に８パーセントの範囲内である。別の例において、ガードル高さ３３８は、幅３２８の約または明確に６パーセント〜約または明確に８パーセントの範囲内である。別の例において、ガードル高さ３３８は、幅３２８の約または明確に７パーセントである。
【００９１】
クラウン３２０は、図１４に示されるように、パビリオン３２４から離れる方にガードル３２２から延びる。クラウン３２０の外側クラウン表面３４０およびガードル３２２の上縁部３３４は、クラウン角度３４２を画定する。一例において、クラウン角度３４２は、約または明確に３６度〜約または明確に５０度の範囲内である。別の例において、クラウン角度３４２は、約または明確に３９度〜約または明確に４６度の範囲内である。別の例において、クラウン角度３４２は、約または明確に３９度〜約または明確に４５度の範囲内である。別の例において、クラウン角度３４２は、約または明確に３９度〜約または明確に４４度の範囲内である。別の例において、クラウン角度３４２は、約または明確に４０度〜約または明確に４６度の範囲内である。別の例において、クラウン角度３４２は、約または明確に４１度〜約または明確に４６度の範囲内である。別の例において、クラウン角度３４２は、約または明確に４４度〜約または明確に４６度の範囲内である。別の例において、クラウン角度３４２は、約または明確に４５度〜約または明確に４６度の範囲内である。
【００９２】
別の例において、クラウン角度３４２は、約または明確に３６度〜約または明確に４５度の範囲内である。別の例において、クラウン角度３４２は、約または明確に３８度〜約または明確に４２度の範囲内である。別の例において、クラウン角度３４２は、約または明確に３９度〜約または明確に４１度の範囲内である。別の例において、クラウン角度３４２は、約または明確に４０度である。例示的実施形態において、クラウン角度３４２は、４０．１度である。
【００９３】
クラウン３２０は、図１４に示されるように、宝石３１２のテーブル３５４と、ガードル３２２の上縁部３３４との間に画定されるクラウン高さ３４４を含む。一例において、クラウン高さ３４４は、宝石３１２の幅３２８の約または明確に１５パーセント〜約または明確に２０パーセントの範囲内である。別の例において、クラウン高さ３４４は、幅３２８の約または明確に１７パーセント〜約または明確に１９パーセントの範囲内である。別の例において、クラウン高さ３４４は、幅３２８の約または明確に１９パーセントである。例示的実施形態において、クラウン高さ３４４は、幅３２８の１８．６パーセントである。例示的実施形態において、クラウン高さ３４４は、０．８５ミリメートルである。
【００９４】
別の例において、クラウン高さ３４４は、幅３２８の約または明確に１６パーセント〜約または明確に２０パーセントの範囲内である。別の例において、クラウン高さ３４４は、幅３２８の約または明確に１８パーセントである。
【００９５】
パビリオン３２４は、図１４に示されるように、ガードル３２２とキュレット３２６との間に延び、それらを相互に接続する。パビリオン３２４は、ガードル３２２とキュレット３２６との間に延びかつそれらを相互に接続する複数の外側パビリオン表面３４６を含む。パビリオン角度３４８が、パビリオン３２４の各外側パビリオン表面３４６と、ガードル３２２の下縁部３３６との間に画定される。
【００９６】
一例において、パビリオン角度３４８は、約または明確に３６度〜約または明確に５０度の範囲内である。別の例において、パビリオン角度３４８は、約または明確に３９度〜約または明確に４５度の範囲内である。別の例において、パビリオン角度３４８は、約または明確に４０度〜約または明確に４５度の範囲内である。別の例において、パビリオン角度３４８は、約または明確に４１度〜約または明確に４５度の範囲内である。別の例において、パビリオン角度３４８は、約または明確に４２度〜約または明確に４５度の範囲内である。別の例において、パビリオン角度３４８は、約または明確に４３度〜約または明確に４５度の範囲内である。
【００９７】
別の例において、パビリオン角度３４８は、約または明確に３９度〜約または明確に４４度の範囲内である。別の例において、パビリオン角度３４８は、約または明確に３９度〜約または明確に４３度の範囲内である。別の例において、パビリオン角度３４８は、約または明確に３９度〜約または明確に４２度の範囲内である。別の例において、パビリオン角度３４８は、約または明確に３９度〜約または明確に４０度の範囲内である。
【００９８】
別の例において、パビリオン角度３４８は、約または明確に３６度〜約または明確に４５度の範囲内である。別の例において、パビリオン角度３４８は、約または明確に３８度〜約または明確に４２度の範囲内である。別の例において、パビリオン角度３４８は、約または明確に３９度〜約または明確に４１度の範囲内である。別の例において、パビリオン角度３４８は、約または明確に４０度である。例示的実施形態において、パビリオン角度３４８は、４０．４度である。
【００９９】
パビリオン３２４は、図１４に示されるように、ガードル３２２の下縁部３３６とキュレット３２６との間に画定されるパビリオン深さ３５０を含む。一例において、パビリオン深さ３５０は、宝石の幅３２８の約または明確に３７パーセント〜約または明確に４５パーセントの範囲内である。別の例において、パビリオン深さ３５０は、幅３２８の約または明確に４０パーセント〜約または明確に４４パーセントの範囲内である。別の例において、パビリオン深さ３５０は、幅３２８の約または明確に４３パーセントである。例示的実施形態において、パビリオン深さ３５０は、幅３２８の４２．９パーセントである。例示的実施形態において、パビリオン深さ３５０は、１．９６ミリメートルである。
【０１００】
別の例において、パビリオン深さ３５０は、宝石の幅３２８の約または明確に３８パーセント〜約または明確に４２パーセントの範囲内である。別の例において、パビリオン深さ３５０は、幅３２８の約または明確に３９パーセント〜約または明確に４１パーセントの範囲内である。別の例において、パビリオン深さ３５０は、幅３２８の約または明確に４０パーセントである。
【０１０１】
キュレット３２６は、図２に示唆されるように、光放出システム３１４と結合するように構成される。キュレット３２６は、図１３に示唆されるように、光放出システム３１４から宝石３１２に入るより多くの光の吸収のために、宝石３１２と光放出システム３１４との間の表面領域係合を増大するように比較的大きい寸法である。
【０１０２】
キュレット３２６は、図１４に示されるように、キュレット幅３５２（時にキュレット直径と称される）を含む。一例において、キュレット幅３５２は、宝石３１２の幅３２８の約または明確に７．５パーセント〜約または明確に２０パーセントの範囲内である。別の例において、キュレット幅３５２は、幅３２８の約または明確に１５パーセント〜約または明確に１９パーセントの範囲内である。別の例において、キュレット幅３５２は、幅３２８の約または明確に１６パーセント〜約または明確に１８パーセントの範囲内である。別の例において、キュレット幅３５２は、幅３２８の約または明確に１８パーセントである。例示的実施形態において、キュレット幅３５２は、幅３２８の約または明確に１７パーセントである。例示的実施形態において、キュレット幅３５２は、０．７８ミリメートルである。
【０１０３】
別の例において、キュレット幅３５２は、幅３２８の約または明確に１８パーセント〜約または明確に２２パーセントの範囲内である。別の例において、キュレット幅３５２は、幅３２８の約または明確に１９パーセント〜約または明確に２１パーセントの範囲内である。別の例において、キュレット幅３５２は、幅３２８の約または明確に２０パーセントである。キュレット３２６はまた、高度に研磨され得る。
【０１０４】
宝石３１２は、図１２および１４に示されるようなテーブル幅３５６を含むテーブル３５４をさらに含む。一例において、テーブル幅３５６は、宝石３１２の幅３２８の約または明確に４５パーセント〜約または明確に６５パーセントの範囲内である。別の例において、テーブル幅３５６は、幅３２８の約または明確に５１．５パーセント〜約または明確に５９パーセントの範囲内である。別の例において、テーブル幅３５６は、幅３２８の約または明確に５４パーセント〜約または明確に５６．５パーセントの範囲内である。別の例において、テーブル幅３５６は、幅３２８の約または明確に５５パーセントである。例示的実施形態において、テーブル幅３５６は、幅３２８の５４．８パーセントである。例示的実施形態において、テーブル幅３５６は、２．５０ミリメートルである。
【０１０５】
別の例において、テーブル幅３５６は、幅３２８の約または明確に５９パーセント〜約または明確に６３パーセントの範囲内である。別の例において、テーブル幅３５６は、幅３２８の約または明確に６１パーセント〜約または明確に６２パーセントの範囲内である。別の例において、テーブル幅３５６は、幅３２８の６１．５パーセントである。
【０１０６】
光放出システム３１４は、図１１に示唆されるように、宝石３１２を照射するために、ある期間にわたり光を放出する。一例において、光放出システム３１４は、緑色光を放出し得る。別の例において、光放出システム３１４は、青色光を放出し得る。なおもさらに別の例において、光放出システム３１４は、他のいずれかの適切な光の色を放出し得る。他の実施形態において、光放出システム３１４は、複数の光の色を放出する。
【０１０７】
光放出システム３１４は、図１１に示されるように、光放出バンド３８０と、光放出ディスク３８２とを含む。光放出バンド３８０および光放出ディスク３８２は、エネルギー７２（例えばＵＶ光または周囲光）の受取りおよび蓄積に応答して宝石３１２を照射するために宝石３１２を通して可視光を放出する。そのようにして、宝石３１２は、蓄積されたエネルギー７２が欠乏するまで、光放出システム３１４によって暗い環境内で照射される。
【０１０８】
光放出バンド３８０は、図１１に示唆されるように、宝石３１２のガードル３２２の周囲に延びる上側部分を含む。例示的実施形態において、光放出バンド３８０は、パビリオン３２４の一部の周囲に延びるように構成された下側部分を含む。例示的実施形態において、光放出バンド３８０の下側部分は、バンド角度だけ上側部分から離れる方に延び、バンド角度はパビリオン角度３４８にほぼ等しい。
【０１０９】
例示的な光放出バンド３８０は、ペアカットされた宝石３１２の周囲に延びるようにペアカット状に成形される。光放出バンド３８０は、宝石３１２を受け入れるように寸法決めされた宝石受容部分開口３７０を含むように形成される。光放出バンド３８０は、ガードル３２２の外側表面に結合される。例示的実施形態において、光放出バンド３８０は、パビリオン３２４の外側表面に結合される。実例として、光放出バンド３８０は、フォトルミネッセント材料から作製される。一例において、フォトルミネッセント材料は、リンを含む材料およびポリ塩化ビニルを含む。別の例において、フォトルミネッセント材料は、リンを含む材料およびアクリル系材料を含む。別の例において、フォトルミネッセント材料は、リンを含む材料、ポリ塩化ビニル、アクリル系材料、それらの混合物、または他のいずれかの適切な代替材料を含み得る。例示的実施形態において、光放出バンド３８０は、約０．５ミリメートルの厚さを有する。いくつかの実施形態において、光放出バンド３８０は、プラスチック材料を含む。
【０１１０】
光放出ディスク３８２は、図１１に示されるように宝石３１２のキュレット３２６と結合するように構成された中実シリンダを実例として形成する。光放出ディスク３８２は、キュレット３２６の外側表面に結合されるように構成される。実例として、光放出ディスク３８２は、フォトルミネッセント材料から作製される。一例において、フォトルミネッセント材料は、リンを含む材料およびポリ塩化ビニルを含む。別の例において、フォトルミネッセント材料は、リンを含む材料およびアクリル系材料を含む。別の例において、フォトルミネッセント材料は、リンを含む材料、ポリ塩化ビニル、アクリル系材料、それらの混合物、または他のいずれかの適切な代替材料を含み得る。例示的実施形態において、光放出ディスク３８２は、約０．５ミリメートルの厚さを有する。いくつかの実施形態において、光放出ディスク３８２は、プラスチック材料を含む。
【０１１１】
ヘッド部分３１６は、図１１に示唆されるように、宝石３１２および光放出システム３１４を取付部分１８と結合するように構成される。例示的なヘッド部分３１６は、宝石保持部分３７４と、キュレット支持体３７６と、複数の爪体３７８とを含む。宝石保持部分３７４は、宝石３１２のガードル３２２および光放出バンド３８０と結合し、宝石３１２とヘッド部分３１６との間に光放出バンド３８０を保持する。キュレット支持体３７６は宝石保持部分３７４に対して離間された関係で位置付けられ、光放出ディスク３８２と結合し、光放出ディスク３８２を宝石３１２のキュレット３２６とヘッド部分３１６との間に保持する。爪体３７８は宝石保持部分３７４とキュレット支持体３７６との間に延び、それらを相互に接続する。
【０１１２】
一例において、宝石は、鉱物、結晶体、金属、石、プラスチック、ガラス、立方晶ジルコニア、有色宝石、貴重または非貴重にかかわらない天然ダイヤモンド、模造ダイヤモンド、それらの組合せ、および／または他のいずれかの適切な代替物質であり得る。宝石がダイヤモンドと異なる屈折率を有する１つの例において、キュレットカバーは、宝石のキュレットから離間され得る。この例において、空気がキュレットカバーとキュレットとの間に位置し得る。キュレットカバーがキュレットから離間される宝石の１つの例は、宝石が有色宝石である場合である。
【０１１３】
以下の番号を付けられた条項は、想定されかつ非限定的な実施形態を含む。
【０１１４】
条項１．クラウン、ガードル、パビリオン、およびキュレットを含む宝石であって、ガードルをクラウンとパビリオンとの間に位置付けるようにクラウンがパビリオンの上に離間された関係で位置付けられ、パビリオンがガードルとキュレットとの間に位置付けられている、宝石を含む、光放出性宝飾品。
【０１１５】
条項２．少なくともガードルを含む宝石の外側表面に結合された光放出シェルであって、可視光が宝石を通して放出されかつ光放出性宝飾品が暗い環境内にあるときに人の裸眼によって見られるように、光の受取りおよび蓄積に応答して経時的に光を放出するように構成された光放出シェルを含む光放出システムをさらに含む、他のいずれかの条項または条項の組合せの光放出性宝飾品。
【０１１６】
条項３．光放出シェルが、ガードルの周囲に半径方向に延びるように配置されたショルダ部分支持体を含む、他のいずれかの条項または条項の組合せの光放出性宝飾品。
【０１１７】
条項４．光放出シェルが、キュレットカバーとショルダ部分支持体との間にキュレットを位置付けるためにショルダ部分支持体に対して離間された関係で位置付けられたキュレットカバーを含む、他のいずれかの条項または条項の組合せの光放出性宝飾品。
【０１１８】
条項５．キュレットカバーが、ヘッド部分と係合するように構成される、他のいずれかの条項または条項の組合せの光放出性宝飾品。
【０１１９】
条項６．下側部分がバンド角度で上側部分から離れる方に延び、およびバンド角度が約４０度〜約５０度の範囲内である、他のいずれかの条項または条項の組合せの光放出性宝飾品。
【０１２０】
条項７．バンド角度が約４１．５度である、他のいずれかの条項または条項の組合せの光放出性宝飾品。
【０１２１】
条項８．キュレットカバーが、キュレットから離れる方に下方へ延びるように配置された光放出ディスクを含む、他のいずれかの条項または条項の組合せの光放出性宝飾品。
【０１２２】
条項９．光放出ディスクが、キュレットの外側表面と結合された上面を含む、他のいずれかの条項または条項の組合せの光放出性宝飾品。
【０１２３】
条項１０．光放出バンドおよび光放出ディスクがプラスチック材料およびリンを含む材料の混合物から作製される、他のいずれかの条項または条項の組合せの光放出性宝飾品。
【０１２４】
条項１１．光放出バンドおよび光放出ディスクがフォトルミネッセント材料から作製される、他のいずれかの条項または条項の組合せの光放出性宝飾品。
【０１２５】
条項１２．光放出バンドが約０．５ミリメートルの厚さを有する、他のいずれかの条項または条項の組合せの光放出性宝飾品。
【０１２６】
条項１３．クラウン角度がクラウンの外側表面とガードルの上縁部との間に画定され、およびクラウン角度が約４０度〜約４５度の範囲内である、他のいずれかの条項または条項の組合せの光放出性宝飾品。
【０１２７】
条項１４．クラウン角度が約４５度である、他のいずれかの条項または条項の組合せの光放出性宝飾品。
【０１２８】
条項１５．パビリオン角度がパビリオンの外側表面とガードルの下縁部との間に画定され、およびパビリオン角度が約４０度〜約５０度の範囲内である、他のいずれかの条項または条項の組合せの光放出性宝飾品。
【０１２９】
条項１６．パビリオン角度が約３８度〜約４２度の範囲内である、他のいずれかの条項または条項の組合せの光放出性宝飾品。
【０１３０】
条項１７．パビリオン角度が約３９度〜約４１度の範囲内である、他のいずれかの条項または条項の組合せの光放出性宝飾品。
【０１３１】
条項１８．宝石を取付部分と相互に接続するように構成されたヘッド部分をさらに含み、ヘッド部分が宝石保持部分と、キュレット支持体と、宝石保持部分とキュレット支持体との間に延びかつそれらを相互に接続する複数の爪体とを含み、および宝石保持部分が宝石とヘッド部分との間で光放出システムの一部を保持する、他のいずれかの条項または条項の組合せの光放出性宝飾品。
【０１３２】
条項１９．宝石保持部分が、クラウンに結合された上部イリュージョンプレートと、光放出バンドと結合された下部プレートとを含み、および上部イリュージョンプレートが、光放出バンドの上側部分を受け入れる雌型挿入スペースを形成するために下部プレートから離間される、他のいずれかの条項または条項の組合せの光放出性宝飾品。
【０１３３】
条項２０．ガードル厚さが、アメリカンスタンダードまたはトルコフスキーブリリアントアイデアルカットダイヤモンドのガードルよりも１０パーセント〜１５パーセント大きい、他のいずれかの条項または条項の組合せの光放出性宝飾品。
【０１３４】
条項２１．キュレットが、アメリカンスタンダードまたはトルコフスキーブリリアントアイデアルカット宝石のキュレットよりも直径において約１３パーセント大きく、光放出システムから宝石への光透過率を増大する、他のいずれかの条項または条項の組合せの光放出性宝飾品。
【０１３５】
条項２２．宝石が、ラウンドカットされた宝石、クッションカットされた宝石、オーバルカットされた宝石、およびペアカットされた宝石のうちの１つである、他のいずれかの条項または条項の組合せの光放出性宝飾品。
【０１３６】
条項２３．クラウン角度が約３８度〜約４２度である、他のいずれかの条項または条項の組合せの光放出性宝飾品。
【０１３７】
条項２４．クラウン角度が約３９度〜約４１度である、他のいずれかの条項または条項の組合せの光放出性宝飾品。
【０１３８】
条項２５．クラウン角度が約４０度である、他のいずれかの条項または条項の組合せの光放出性宝飾品。
【０１３９】
条項２６．クラウン角度が約３９．５度である、他のいずれかの条項または条項の組合せの光放出性宝飾品。
【０１４０】
条項２７．クラウン角度が約４０．１度である、他のいずれかの条項または条項の組合せの光放出性宝飾品。
【０１４１】
条項２８．宝石がクッションカットされた宝石である、他のいずれかの条項または条項の組合せの光放出性宝飾品。
【０１４２】
条項２９．宝石がオーバルカットされた宝石である、他のいずれかの条項または条項の組合せの光放出性宝飾品。
【０１４３】
条項３０．宝石がペアカットされた宝石である、他のいずれかの条項または条項の組合せの光放出性宝飾品。
【０１４４】
条項３１．パビリオン角度が約３８度〜約４２度の範囲内である、他のいずれかの条項または条項の組合せの光放出性宝飾品。
【０１４５】
条項３２．パビリオン角度が約３９度〜約４１度である、他のいずれかの条項または条項の組合せの光放出性宝飾品。
【０１４６】
条項３３．パビリオン角度が約４０度である、他のいずれかの条項または条項の組合せの光放出性宝飾品。
【０１４７】
条項３４．パビリオン角度が約４０．４度である、他のいずれかの条項または条項の組合せの光放出性宝飾品。
【０１４８】
条項３５．光放出システムが、ガードルの外側表面に結合された光放出バンドと、キュレットの外側表面と結合された上面を有する光放出ディスクとを含む、他のいずれかの条項または条項の組合せの光放出性宝飾品。
【０１４９】
条項３６．光放出バンドおよび光放出ディスクがフォトルミネッセント材料から作製される、他のいずれかの条項または条項の組合せの光放出性宝飾品。
【０１５０】
条項３７．光放出バンドが約０．５ミリメートルの厚さを有する、他のいずれかの条項または条項の組合せの光放出性宝飾品。
【０１５１】
条項３８．宝石が幅を有し、ガードルがガードルの上縁部および下縁部によって画定されたガードル高さを有し、およびガードル高さが宝石の幅の約４パーセント〜約８パーセントである、他のいずれかの条項または条項の組合せの光放出性宝飾品。
【０１５２】
条項３９．ガードル高さが宝石の幅の約６パーセントである、他のいずれかの条項または条項の組合せの光放出性宝飾品。
【０１５３】
条項４０．ガードル高さが宝石の幅の約７．２パーセントである、他のいずれかの条項または条項の組合せの光放出性宝飾品。
【０１５４】
条項４１．キュレットが、宝石の幅の約８パーセント〜約２３パーセントの範囲内であるキュレット幅を有する、他のいずれかの条項または条項の組合せの光放出性宝飾品。
【０１５５】
条項４２．キュレット幅が宝石の幅の約９パーセント〜約１３パーセントである、他のいずれかの条項または条項の組合せの光放出性宝飾品。
【０１５６】
条項４４．キュレット幅が宝石の幅の約１０パーセント〜約１２パーセントである、他のいずれかの条項または条項の組合せの光放出性宝飾品。
【０１５７】
条項４５．キュレット幅が宝石の幅の約１１パーセントである、他のいずれかの条項または条項の組合せの光放出性宝飾品。
【０１５８】
条項４６．キュレット幅が宝石の幅の約１６パーセント〜約２３パーセントである、他のいずれかの条項または条項の組合せの光放出性宝飾品。
【０１５９】
条項４７．キュレット幅が宝石の幅の約１６パーセント〜約１８パーセントである、他のいずれかの条項または条項の組合せの光放出性宝飾品。
【０１６０】
条項４８．キュレット幅が宝石の幅の約１７パーセントである、他のいずれかの条項または条項の組合せの光放出性宝飾品。
【０１６１】
条項４９．キュレット幅が宝石の幅の約１７パーセント〜約２２パーセントである、他のいずれかの条項または条項の組合せの光放出性宝飾品。
【０１６２】
条項５０．キュレット幅が宝石の幅の約１９パーセント〜約２１パーセントである、他のいずれかの条項または条項の組合せの光放出性宝飾品。
【０１６３】
条項５１．キュレット幅が宝石の幅の約２０パーセントである、他のいずれかの条項または条項の組合せの光放出性宝飾品。
【０１６４】
条項５２．光放出シェルが、パビリオンの外側表面に結合された本体と、ガードルの周囲に円周方向に延びかつガードルの外側表面に結合されたショルダ部分支持体と、キュレットの外側表面に結合されたキュレットカバーとを含む、他のいずれかの条項または条項の組合せの光放出性宝飾品。
【０１６５】
条項５３．光放出システムが、ガードルの外側表面に結合された光放出バンドと、キュレットの外側表面と結合された上面を有する光放出ディスクとを含む、他のいずれかの条項または条項の組合せの光放出性宝飾品。
【０１６６】
条項５４．光放出バンドおよび光放出ディスクがプラスチック材料およびリンを含む材料の混合物から作製される、他のいずれかの条項または条項の組合せの光放出性宝飾品。
【０１６７】
条項５５．光放出性宝飾品が指輪である、他のいずれかの条項または条項の組合せの光放出性宝飾品。
【０１６８】
条項５６．光放出性宝飾品がイヤリングである、他のいずれかの条項または条項の組合せの光放出性宝飾品。
【０１６９】
条項５７．光放出性宝飾品がネックレスである、他のいずれかの条項または条項の組合せの光放出性宝飾品。
【０１７０】
条項５８．光放出性宝飾品がブローチである、他のいずれかの条項または条項の組合せの光放出性宝飾品。
【０１７１】
条項５９．ショルダ部分支持体が、少なくともガードルに結合されかつそれから離れる方に外方へ延びる上側部分と、少なくともパビリオンに結合されかつそれから離れる方に外方へ延びる下側部分とを有するバンドを含む、他のいずれかの条項または条項の組合せの光放出性宝飾品。
【０１７２】
条項６０．上側部分が、パビリオンから離れる方へ上方に面するように配置された上側表面と、光放出バンドの下側部分の方へ下方に面するように配置された下側表面とを有し、および下側部分が、上側部分の下側表面に結合された上側表面と、キュレットカバーの方へ下方に面するように配置された下側表面とを有する、他のいずれかの条項または条項の組合せの光放出性宝飾品。
【０１７３】
条項６１．下側部分が、上側部分からキュレットカバーの方へ延び、かつパビリオン上のある地点で終端し、それにより、光放出バンドがキュレットから離間されて、光がパビリオンを通して宝石に進入することを許容する、他のいずれかの条項または条項の組合せの光放出性宝飾品。
【０１７４】
条項６２．キュレットカバーが、キュレットから離れる方へ下方に延びるように配置された光放出ディスクを含み、かつキュレットの外側表面と結合された上面を含む、他のいずれかの条項または条項の組合せの光放出性宝飾品。
【符号の説明】
【０１７５】
１０  光放出性宝飾品
１２  宝石
１４  光放出システム
１６  ヘッド部分
１８  取付部分
２０  クラウン
２２  ガードル
２４  パビリオン
２６  キュレット
２８  幅
３０  高さ
３２  外側パビリオン表面
３４  上縁部
３６  下縁部
３８  ガードル高さ
４０  外側クラウン表面
４２  クラウン角度
４４  クラウン高さ
４６  外側パビリオン表面
４８  パビリオン角度
５０  パビリオン深さ
５２  キュレット幅
５４  テーブル
５６  テーブル幅
６０  光放出シェル
６２  本体
６４  ショルダ部分支持体
６６  キュレットカバー
６８  側壁
７０  宝石受容部分開口
７２  エネルギー
７４  宝石保持部分
７６  キュレット支持体
７８  爪体
８０  上部光源
１１０  光放出性宝飾品
１１２  宝石
１１４  光放出システム
１２０  クラウン
１２２  ガードル
１２４  パビリオン
１２６  キュレット
１２８  幅
１３０  高さ
１３２  長さ
１３４  上縁部
１３６  下縁部
１３８  ガードル高さ
１４０  外側クラウン表面
１４２  クラウン角度
１４４  クラウン高さ
１４６  外側パビリオン表面
１４８  パビリオン角度
１５０  パビリオン深さ
１５２  キュレット幅
１５４  テーブル
１５６  テーブル幅
２１０  光放出性宝飾品
２１２  宝石
２１４  光放出システム
２１６  ヘッド部分
２２０  クラウン
２２２  ガードル
２２４  パビリオン
２２６  キュレット
２２７  外側表面
２４８  パビリオン角度
２７０  宝石受容部分開口
２７４  宝石保持部分
２７６  キュレット支持体
２７８  爪体
２８０  光放出バンド
２８２  光放出ディスク
２８３  上面
２９０  上側部分
２９２  下側部分
２９４  上側表面
２９６  下側表面
２９８  上側表面
３００  下側表面
３１０  光放出性宝飾品
３１２  宝石
３１４  光放出システム
３１６  ヘッド部分
３２０  クラウン
３２２  ガードル
３２４  パビリオン
３２６  キュレット
３２８  幅
３３０  高さ
３３２  長さ
３３４  上縁部
３３６  下縁部
３３８  ガードル高さ
３４０  外側クラウン表面
３４２  クラウン角度
３４４  クラウン高さ
３４６  外側パビリオン表面
３４８  パビリオン角度
３５０  パビリオン深さ
３５２  キュレット幅
３５４  テーブル
３５６  テーブル幅
３７０  宝石受容部分開口
３７４  宝石保持部分
３７６  キュレット支持体
３７８  爪体
３８０  光放出バンド
３８２  光放出ディスク
【図１】
2017144243.tif 000003
【図２】
2017144243.tif 000004
【図３】
2017144243.tif 000005
【図４】
2017144243.tif 000006
【図５】
2017144243.tif 000007
【図６】
2017144243.tif 000008
【図７】
2017144243.tif 000009
【図８】
2017144243.tif 000010
【図９】
2017144243.tif 000011
【図１０】
2017144243.tif 000012
【図１１】
2017144243.tif 000013
【図１２】
2017144243.tif 000014
【図１３】
2017144243.tif 000015
【図１４】
2017144243.tif 000016
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
光放出性宝飾品であって、
クラウン、ガードル、パビリオン、およびキュレットを含む宝石であって、前記ガードルを前記クラウンと前記パビリオンとの間に位置付けるように前記クラウンが前記パビリオンの上に離間された関係で位置付けられ、前記パビリオンが前記ガードルと前記キュレットとの間に位置付けられている、宝石と、
少なくとも前記ガードルを含む前記宝石の外側表面に結合された光放出シェルであって、可視光が前記宝石を通して放出されかつ前記光放出性宝飾品が暗い環境内にあるときに人の裸眼によって見られるように、光の受取りおよび蓄積に応答して経時的に光を放出するように構成された光放出シェルを含む光放出システムと、を含み、
前記光放出シェルが、前記ガードルの周囲に半径方向に延びるように配置されたショルダ部分支持体と、キュレットカバーと前記ショルダ部分支持体との間に前記キュレットを位置付けるために前記ショルダ部分支持体に対して離間された関係で位置付けられたキュレットカバーとを含み、および前記キュレットカバーが、ヘッド部分と係合するように構成される、光放出性宝飾品。
【請求項２】
前記ショルダ部分支持体が、少なくとも前記ガードルに結合されかつそれから離れるように外方へ延びる上側部分と、少なくとも前記パビリオンに結合されかつそれから離れるように外方へ延びる下側部分とを有するバンドを含む、請求項１に記載の光放出性宝飾品。
【請求項３】
前記上側部分が、前記パビリオンから遠い側の上方に面するように配置された上側表面と、前記光放出バンドの前記下側部分の側へ下方に面するように配置された下側表面とを有し、および前記下側部分が、前記上側部分の前記下側表面に結合された上側表面と、前記キュレットカバーの側へ下方に面するように配置された下側表面とを有する、請求項２に記載の光放出性宝飾品。
【請求項４】
前記下側部分が前記上側部分から前記キュレットカバーの方へ延び、かつ前記パビリオン上のある地点で終端し、それにより、前記光放出バンドが前記キュレットから離間されて、光が前記パビリオンを通して前記宝石に進入することを許容する、請求項３に記載の光放出性宝飾品。
【請求項５】
前記キュレットカバーが、前記キュレットから離れる方へ下方に延びるように配置された光放出ディスクを含み、かつ前記キュレットの外側表面と結合された上面を含む、請求項４に記載の光放出性宝飾品。
【請求項６】
前記下側部分がバンド角度で前記上側部分から離れる方に延び、および前記バンド角度が約４０度〜約５０度の範囲内である、請求項２に記載の光放出性宝飾品。
【請求項７】
前記バンド角度が約４１．５度である、請求項６に記載の光放出性宝飾品。
【請求項８】
前記キュレットカバーが、前記キュレットから離れる方に下方へ延びるように配置された光放出ディスクを含む、請求項２に記載の光放出性宝飾品。
【請求項９】
前記光放出ディスクが、前記キュレットの外側表面と結合された上面を含む、請求項８に記載の光放出性宝飾品。
【請求項１０】
前記光放出バンドおよび前記光放出ディスクがプラスチック材料およびリンを含む材料の混合物から作製される、請求項９に記載の光放出性宝飾品。
【請求項１１】
前記光放出バンドおよび前記光放出ディスクがフォトルミネッセント材料から作製される、請求項９に記載の光放出性宝飾品。
【請求項１２】
前記光放出バンドが約０．５ミリメートルの厚さを有する、請求項２に記載の光放出性宝飾品。
【請求項１３】
クラウン角度が前記クラウンの外側表面と前記ガードルの上縁部との間に画定され、および前記クラウン角度が約４０度〜約４５度の範囲内である、請求項１に記載の光放出性宝飾品。
【請求項１４】
前記クラウン角度が約４５度である、請求項２に記載の光放出性宝飾品。
【請求項１５】
パビリオン角度が前記パビリオンの外側表面と前記ガードルの下縁部との間に画定され、および前記パビリオン角度が約４０度〜約５０度の範囲内である、請求項１に記載の光放出性宝飾品。
【請求項１６】
前記パビリオン角度が約３８度〜約４２度の範囲内である、請求項１５に記載の光放出性宝飾品。
【請求項１７】
前記パビリオン角度が約３９度〜約４１度の範囲内である、請求項１５に記載の光放出性宝飾品。
【請求項１８】
前記宝石を取付部分と相互に接続するように構成されたヘッド部分をさらに含み、前記ヘッド部分が宝石保持部分と、キュレット支持体と、前記宝石保持部分と前記キュレット支持体との間に延びてかつそれらを相互に接続する複数の爪体とを含み、および前記宝石保持部分が前記宝石と前記ヘッド部分との間で前記光放出システムの一部を保持する、請求項１に記載の光放出性宝飾品。
【請求項１９】
前記宝石保持部分が、前記クラウンに結合された上部イリュージョンプレートと、前記光放出バンドと結合された下部プレートとを含み、および前記上部イリュージョンプレートが、前記光放出バンドの上側部分を受け入れる雌型挿入スペースを形成するために前記下部プレートから離間される、請求項１８に記載の光放出性宝飾品。
【請求項２０】
ガードル厚さが、アメリカンスタンダードまたはトルコフスキーブリリアントアイデアルカットダイヤモンドのガードルよりも１０パーセント〜１５パーセント大きい、請求項１に記載の光放出性宝飾品。
【請求項２１】
前記キュレットが、アメリカンスタンダードまたはトルコフスキーブリリアントアイデアルカット宝石のキュレットよりも直径において約１３パーセント大きく、前記光放出システムから前記宝石への光透過率を増大する、請求項２０に記載の光放出性宝飾品。
【請求項２２】
前記宝石が、ラウンドカットされた宝石、クッションカットされた宝石、オーバルカットされた宝石、およびペアカットされた宝石のうちの１つである、請求項１に記載の光放出性宝飾品。
【請求項２３】
前記クラウン角度が約３８度〜約４２度である、請求項１に記載の光放出性宝飾品。
【請求項２４】
前記クラウン角度が約３９度〜約４１度である、請求項２３に記載の光放出性宝飾品。
【請求項２５】
前記クラウン角度が約４０度である、請求項２４に記載の光放出性宝飾品。
【請求項２６】
前記クラウン角度が約３９．５度である、請求項２４に記載の光放出性宝飾品。
【請求項２７】
前記クラウン角度が約４０．１度である、請求項２４に記載の光放出性宝飾品。
【請求項２８】
前記宝石がクッションカットされた宝石である、請求項１に記載の光放出性宝飾品。
【請求項２９】
前記宝石がオーバルカットされた宝石である、請求項１に記載の光放出性宝飾品。
【請求項３０】
前記宝石がペアカットされた宝石である、請求項１に記載の光放出性宝飾品。
【請求項３１】
前記パビリオン角度が約３８度〜約４２度の範囲内である、請求項１に記載の光放出性宝飾品。
【請求項３２】
前記パビリオン角度が約３９度〜約４１度である、請求項３１に記載の光放出性宝飾品。
【請求項３３】
前記パビリオン角度が約４０度である、請求項３２に記載の光放出性宝飾品。
【請求項３４】
前記パビリオン角度が約４０．４度である、請求項３３に記載の光放出性宝飾品。
【請求項３５】
前記光放出システムが、前記ガードルの外側表面に結合された光放出バンドと、前記キュレットの外側表面と結合された上面を有する光放出ディスクとを含む、請求項１に記載の光放出性宝飾品。
【請求項３６】
前記光放出バンドおよび前記光放出ディスクがフォトルミネッセント材料から作製される、請求項１に記載の光放出性宝飾品。
【請求項３７】
前記光放出バンドが約０．５ミリメートルの厚さを有する、請求項１に記載の光放出性宝飾品。
【請求項３８】
前記宝石が幅を有し、前記ガードルが前記ガードルの前記上縁部および前記下縁部によって画定されたガードル高さを有し、および前記ガードル高さが前記宝石の前記幅の約４パーセント〜約８パーセントである、請求項１に記載の光放出性宝飾品。
【請求項３９】
前記ガードル高さが前記宝石の前記幅の約６パーセントである、請求項３８に記載の光放出性宝飾品。
【請求項４０】
前記ガードル高さが前記宝石の前記幅の約７．２パーセントである、請求項３９に記載の光放出性宝飾品。
【請求項４１】
前記キュレットが、前記宝石の幅の約８パーセント〜約２３パーセントの範囲内であるキュレット幅を有する、請求項１に記載の光放出性宝飾品。
【請求項４２】
前記キュレット幅が前記宝石の前記幅の約９パーセント〜約１３パーセントである、請求項４１に記載の光放出性宝飾品。
【請求項４３】
前記キュレット幅が前記宝石の前記幅の約１０パーセント〜約１２パーセントである、請求項４２に記載の光放出性宝飾品。
【請求項４４】
前記キュレット幅が前記宝石の前記幅の約１１パーセントである、請求項４３に記載の光放出性宝飾品。
【請求項４５】
前記キュレット幅が前記宝石の前記幅の約１６パーセント〜約２３パーセントである、請求項４１に記載の光放出性宝飾品。
【請求項４６】
前記キュレット幅が前記宝石の前記幅の約１６パーセント〜約１８パーセントである、請求項４５に記載の光放出性宝飾品。
【請求項４７】
前記キュレット幅が前記宝石の前記幅の約１７パーセントである、請求項４６に記載の光放出性宝飾品。
【請求項４８】
前記キュレット幅が前記宝石の前記幅の約１７パーセント〜約２２パーセントである、請求項１に記載の光放出性宝飾品。
【請求項４９】
前記キュレット幅が前記宝石の前記幅の約１９パーセント〜約２１パーセントである、請求項４８に記載の光放出性宝飾品。
【請求項５０】
前記キュレット幅が前記宝石の前記幅の約２０パーセントである、請求項１に記載の光放出性宝飾品。
【請求項５１】
前記光放出シェルが、前記パビリオンの外側表面に結合された本体と、前記ガードルの周囲に円周方向に延びてかつ前記ガードルの外側表面に結合されたショルダ部分支持体と、前記キュレットの外側表面に結合されたキュレットカバーとを含む、請求項１に記載の光放出性宝飾品。
【請求項５２】
前記光放出システムが、前記ガードルの外側表面に結合された光放出バンドと、前記キュレットの外側表面と結合された上面を有する光放出ディスクとを含む、請求項５１に記載の光放出性宝飾品。
【請求項５３】
前記光放出バンドおよび前記光放出ディスクがプラスチック材料およびリンを含む材料の混合物から作製される、請求項３４に記載の光放出性宝飾品。
【外国語明細書】
2017144243.tif 000017
2017144243.tif 000018
2017144243.tif 000019
2017144243.tif 000020
2017144243.tif 000021
2017144243.tif 000022
2017144243.tif 000023
2017144243.tif 000024
2017144243.tif 000025
2017144243.tif 000026
2017144243.tif 000027
2017144243.tif 000028
2017144243.tif 000029
2017144243.tif 000030
2017144243.tif 000031
2017144243.tif 000032
2017144243.tif 000033
2017144243.tif 000034
2017144243.tif 000035
2017144243.tif 000036
2017144243.tif 000037
2017144243.tif 000038
2017144243.tif 000039
2017144243.tif 000040
2017144243.tif 000041
2017144243.tif 000042
2017144243.tif 000043
2017144243.tif 000044
2017144243.tif 000045
2017144243.tif 000046
2017144243.tif 000047
2017144243.tif 000048
2017144243.tif 000049
2017144243.tif 000050
2017144243.tif 000051
2017144243.tif 000052
2017144243.tif 000053
2017144243.tif 000054
2017144243.tif 000055
2017144243.tif 000056
2017144243.tif 000057
【選択図】図１
【図１】
2017144243.tif 000058
【図２】
2017144243.tif 000059
【図３】
2017144243.tif 000060
【図４】
2017144243.tif 000061
【図５】
2017144243.tif 000062
【図６】
2017144243.tif 000063
【図７】
2017144243.tif 000064
【図８】
2017144243.tif 000065
【図９】
2017144243.tif 000066
【図１０】
2017144243.tif 000067
【図１１】
2017144243.tif 000068
【図１２】
2017144243.tif 000069
【図１３】
2017144243.tif 000070
【図１４】
2017144243.tif 000071